(57)【要約】【課題】画像処理装置用の操作画面と携帯端末装置用の操作画面により連携操作を行う場合に、携帯端末装置用の操作画面に行った操作に対応する画像処理装置の操作用画面を、煩雑な画面切替を必要とせず簡単に表示可能な画像処理連携システム等を提供する。【解決手段】携帯端末装置２の記憶手段２０２に、自装置用の操作画面に対する操作の内容とユーザーの予想操作とが関連付けられた連携操作テーブルが記憶される。携帯端末装置または画像処理装置１の表示手段に表示された携帯端末装置用の操作画面に対しユーザー操作がなされたときに、該操作の内容に関連付けられた予想操作が、前記連携操作テーブルから特定され、画像処理装置に通知される。画像処理装置は予想操作が通知されると、自装置用の操作画面を前記予想操作に対応する画面に切り替える。【選択図】  図１０
2014027638.tif 000002
【特許請求の範囲】
【請求項１】
相互に接続可能な画像処理装置と携帯端末装置を備えた画像処理連携システムであって、
前記画像処理装置は、
表示手段と、
前記携帯端末装置から該携帯端末装置を操作するための操作画面の表示用データを取得する表示用データ取得手段と、
自装置を操作するための操作画面と、前記表示用データ取得手段により取得した前記表示用データに基づく携帯端末装置用の操作画面とを、前記表示手段に同時に表示する表示制御手段と、
前記表示手段に表示された自装置用の操作画面が変更されたときに、変更後の画面表示用データを前記携帯端末装置に送信するとともに、前記表示手段に表示された携帯端末装置用の操作画面が操作されたときは、操作情報を携帯端末装置に送信する送信手段と、
を備え、
前記携帯端末装置は、
表示手段と、
前記画像処理装置から該画像処理装置を操作するための操作画面の表示用データを取得する表示データ取得手段と、
自装置を操作するための操作画面と、前記表示用データ取得手段により取得した前記表示用データに基づく画像処理装置用の操作画面とを、前記表示手段に同時に表示する表示制御手段と、
前記表示手段に表示された自装置用の操作画面が変更されたときに、変更後の画面表示用データを前記画像処理装置に送信するとともに、前記表示手段に表示された画像処理装置用の操作画面が操作されたときは、操作情報を画像処理装置に送信する送信手段と、
自装置用の操作画面に対する操作の内容とユーザーの予想操作とが関連付けられた連携操作テーブルを記憶する記憶手段と、
前記表示手段に表示された自装置用の操作画面または画像処理装置の表示手段に表示された携帯端末装置用の操作画面に対して、ユーザーの操作がなされたときに、該操作の内容に関連付けられた前記予想操作を、前記連携操作テーブルから特定する予想操作特定手段と、
前記予想操作特定手段により特定された前記予想操作を前記画像処理装置に通知する通知手段と、
を備え、
前記画像処理装置はさらに、
前記携帯端末装置から前記予想操作が通知されたとき、自装置の表示手段に表示された自装置用の操作画面を、前記予想操作に対応する画面に切り替える切替手段を備えたことを特徴とする画像処理連携システム。
【請求項２】
相互に接続可能な画像処理装置と携帯端末装置を備えた画像処理連携システムであって、
前記画像処理装置は、
表示手段と、
前記携帯端末装置から該携帯端末装置を操作するための操作画面の表示用データを取得する表示用データ取得手段と、
自装置を操作するための操作画面と、前記表示用データ取得手段により取得した前記表示用データに基づく携帯端末装置用の操作画面とを、前記表示手段に同時に表示する表示制御手段と、
前記表示手段に表示された自装置用の操作画面が変更されたときに、変更後の画面表示用データを前記携帯端末装置に送信するとともに、前記表示手段に表示された携帯端末装置用の操作画面が操作されたときは、操作情報を携帯端末装置に送信する送信手段と、
前記携帯端末装置用の操作画面に対する操作の内容とユーザーの予想操作とが関連付けられた連携操作テーブルを記憶する記憶手段と、
を備え、
前記携帯端末装置は、
表示手段と、
前記画像処理装置から該画像処理装置を操作するための操作画面の表示用データを取得する表示データ取得手段と、
自装置を操作するための操作画面と、前記表示用データ取得手段により取得した前記表示用データに基づく画像処理装置用の操作画面とを、前記表示手段に同時に表示する表示制御手段と、
前記表示手段に表示された自装置用の操作画面が変更されたときに、変更後の画面表示用データを前記画像処理装置に送信するとともに、前記表示手段に表示された画像処理装置用の操作画面が操作されたときは、操作情報を画像処理装置に送信する送信手段と、
前記表示手段に表示された自装置用の操作画面または画像処理装置の表示手段に表示された携帯端末装置用の操作画面に対してユーザーの操作がなされたときに、該操作の内容を前記画像処理装置に通知する通知手段と、
を備え、
前記画像処理装置はさらに、
前記携帯端末装置から操作の内容が通知されたときに、該操作の内容と関連付けられた予想操作を、前記連携操作テーブルから特定する予想操作特定手段と、
前記表示手段に表示された自装置用の操作画面を、前記特定された予想操作に対応する画面に切り替える切替手段を備えたことを特徴とする画像処理連携システム。
【請求項３】
前記予想操作が複数存在するために対応する画面が複数存在する場合、または１つの予想操作に対応する画面が複数存在する場合は、前記画像処理装置の切替手段は、複数の画面のうちの１つの画面に切り替えるとともに、他の画面を呼び出して表示するための呼び出しボタンを前記表示手段に表示する請求項１または２に記載の画像処理連携システム。
【請求項４】
前記画像処理装置の切替手段は、前記携帯端末装置用の操作画面に対して操作を行ったユーザーの情報に基づいて、前記切り替える画面を選択する請求項１〜３のいずれかに記載の画像処理連携システム。
【請求項５】
前記携帯端末装置は、
該携帯端末装置に機能が追加されまたは機能の更新が行われたことを認識する認識手段と、
前記認識手段により、機能が追加されまたは機能の更新が行われたことが認識された場合に、前記追加されまたは更新された機能に対応する新たな連携操作テーブルの有無を、前記画像処理装置または予め登録されているサーバーに問い合わせる問い合わせ手段と、
問い合わせの結果、前記新たな連携操作テーブルが存在する場合は、該連携操作テーブルを取得して既存の連携操作テーブルを更新する更新手段と、
をさらに備えている請求項１、３または４に記載の画像処理連携システム。
【請求項６】
前記画像処理装置は、
前記携帯端末装置に機能が追加されまたは機能の更新が行われたことを認識する認識手段と、
前記認識手段により、携帯端末装置に機能が追加されまたは機能の更新が行われたことが認識された場合に、前記追加されまたは更新された機能に対応する新たな連携操作テーブルの有無を、予め登録されているサーバーに問い合わせる問い合わせ手段と、
問い合わせの結果、前記新たな連携操作テーブルが存在する場合は、該連携操作テーブルを取得して前記携帯端末装置に既存の連携操作テーブルを更新させる更新手段と、
をさらに備えている請求項１、３または４に記載の画像処理連携システム。
【請求項７】
前記画像処理装置は、
前記携帯端末装置に機能が追加されまたは機能の更新が行われたことを認識する認識手段と、
前記認識手段により、機能が追加されまたは機能の更新が行われたことが認識された場合に、前記追加されまたは更新された機能に対応する新たな連携操作テーブルの有無を、予め登録されているサーバーに問い合わせる問い合わせ手段と、
問い合わせの結果、前記新たな連携操作テーブルが存在する場合は、該連携操作テーブルを取得して既存の連携操作テーブルを更新する更新手段と、
をさらに備えている請求項２、３または４に記載の画像処理連携システム。
【請求項８】
相互に接続可能な画像処理装置と携帯端末装置を備えた画像処理連携システムで実施される画像処理連携方法であって、
前記画像処理装置は、
前記携帯端末装置から該携帯端末装置を操作するための操作画面の表示用データを取得する表示用データ取得ステップと、
自装置を操作するための操作画面と、前記表示用データ取得ステップにおいて取得した前記表示用データに基づく携帯端末装置用の操作画面とを、表示手段に同時に表示する表示制御ステップと、
前記表示手段に表示された自装置用の操作画面が変更されたときに、変更後の画面表示用データを前記携帯端末装置に送信するとともに、前記表示手段に表示された携帯端末装置用の操作画面が操作されたときは、操作情報を携帯端末装置に送信する送信ステップと、
を実施し、
前記携帯端末装置は、
前記画像処理装置から該画像処理装置を操作するための操作画面の表示用データを取得する表示データ取得ステップと、
自装置を操作するための操作画面と、前記表示用データ取得ステップにおいて取得した前記表示用データに基づく画像処理装置用の操作画面とを、表示手段に同時に表示する表示制御ステップと、
前記表示手段に表示された自装置用の操作画面が変更されたときに、変更後の画面表示用データを前記画像処理装置に送信するとともに、前記表示手段に表示された画像処理装置用の操作画面が操作されたときは、操作情報を画像処理装置に送信する送信ステップと、
前記表示手段に表示される自装置用の操作画面に対する操作の内容とユーザーの予想操作とが関連付けられた連携操作テーブルを記憶手段に記憶する記憶ステップと、
前記表示手段に表示される自装置用の操作画面または画像処理装置の表示手段に表示された携帯端末装置用の操作画面に対して、ユーザーの操作がなされたときに、該操作の内容と関連付けられた前記予想操作を、前記連携操作テーブルから特定する予想操作特定ステップと、
前記予想操作特定ステップにおいて特定された前記予想操作を前記画像処理装置に通知する通知ステップと、
を実行し、
前記画像処理装置はさらに、
前記携帯端末装置から前記予想操作が通知されたとき、自装置の表示手段に表示された自装置用の操作画面を、前記予想操作に対応する画面に切り替える切替ステップを実施することを特徴とする画像処理連携方法。
【請求項９】
相互に接続可能な画像処理装置と携帯端末装置を備えた画像処理連携システムで実施される画像処理連携方法であって、
前記画像処理装置は、
前記携帯端末装置から該携帯端末装置を操作するための操作画面の表示用データを取得する表示用データ取得ステップと、
自装置を操作するための操作画面と、前記表示用データ取得ステップにおいて取得した前記表示用データに基づく携帯端末装置用の操作画面とを、表示手段に同時に表示する表示制御ステップと、
前記表示手段に表示された自装置用の操作画面が変更されたときに、変更後の画面表示用データを前記携帯端末装置に送信するとともに、前記表示手段に表示された携帯端末装置用の操作画面が操作されたときは、操作情報を携帯端末装置に送信する送信ステップと、
前記携帯端末装置用の操作画面に対する操作の内容とユーザーの予想操作とが関連付けられた連携操作テーブルを記憶手段に記憶する記憶ステップと、
を実施し、
前記携帯端末装置は、
前記画像処理装置から該画像処理装置を操作するための操作画面の表示用データを取得する表示データ取得ステップと、
自装置を操作するための操作画面と、前記表示用データ取得ステップにおいて取得した前記表示用データに基づく画像処理装置用の操作画面とを、表示手段に同時に表示する表示制御ステップと、
前記表示手段に表示された自装置用の操作画面が変更されたときに、変更後の画面表示用データを前記画像処理装置に送信するとともに、前記表示手段に表示された画像処理装置用の操作画面が操作されたときは、操作情報を画像処理装置に送信する送信ステップと、
前記表示手段に表示された自装置用の操作画面または画像処理装置の表示手段に表示された携帯端末装置用の操作画面に対してユーザーの操作がなされたときに、該操作の内容を前記画像処理装置に通知する通知ステップと、
を実施し、
前記画像処理装置はさらに、
前記携帯端末装置から操作の内容が通知されたときに、該操作の内容と関連付けられた予想操作を、前記連携操作テーブルから特定する予想操作特定ステップと、
前記表示手段に表示された自装置用の操作画面を、前記特定された予想操作に対応する画面に切り替える切替ステップを実施することを特徴とする画像処理連携方法。
【請求項１０】
画像処理装置と接続するための接続手段と、
表示手段と、
前記画像処理装置から該画像処理装置を操作するための操作画面の表示用データを取得する表示データ取得手段と、
自装置を操作するための操作画面と、前記表示用データ取得手段により取得した前記表示用データに基づく画像処理装置用の操作画面とを、前記表示手段に同時に表示する表示制御手段と、
前記表示手段に表示された自装置用の操作画面が変更されたときに、変更後の画面表示用データを前記画像処理装置に送信するとともに、前記表示手段に表示された画像処理装置用の操作画面が操作されたときは、操作情報を画像処理装置に送信する送信手段と、
自装置用の操作画面に対する操作の内容とユーザーの予想操作とが関連付けられた連携操作テーブルを記憶する記憶手段と、
前記表示手段に表示された自装置用の操作画面または画像処理装置の表示手段に表示された携帯端末装置用の操作画面に対して、ユーザーの操作がなされたときに、該操作の内容と関連付けられた前記予想操作を、前記連携操作テーブルから特定する予想操作特定手段と、
前記予想操作特定手段により特定された前記予想操作を前記画像処理装置に通知する通知手段と、
を備えたことを特徴とする携帯端末装置。
【請求項１１】
携帯端末装置と接続するための接続手段と、
表示手段と、
前記携帯端末装置から該携帯端末装置を操作するための操作画面の表示用データを取得する表示用データ取得手段と、
自装置を操作するための操作画面と、前記表示用データ取得手段により取得した前記表示用データに基づく携帯端末装置用の操作画面とを、前記表示手段に同時に表示する表示制御手段と、
前記表示手段に表示された携帯端末装置用の操作画面が操作されたときは、操作情報を携帯端末装置に送信する送信手段と、
前記携帯端末装置に表示された携帯端末装置用の操作画面または前記表示手段に表示された携帯端末装置用の操作画面に対してユーザーの操作がなされることにより、携帯端末装置から、前記操作の内容と関連付けられた予想操作が通知されたとき、自装置の表示手段に表示された自装置用の操作画面を、前記予想操作に対応する画面に切り替える切替手段と、
を備えたことを特徴とする画像処理装置。
【請求項１２】
携帯端末装置と接続するための接続手段と、
表示手段と、
前記携帯端末装置から該携帯端末装置を操作するための操作画面の表示用データを取得する表示用データ取得手段と、
自装置を操作するための操作画面と、前記表示用データ取得手段により取得した前記表示用データに基づく携帯端末装置用の操作画面とを、前記表示手段に同時に表示する表示制御手段と、
前記表示手段に表示された携帯端末装置用の操作画面が操作されたときは、操作情報を携帯端末装置に送信する送信手段と、
前記携帯端末装置用の操作画面に対する操作の内容とユーザーの予想操作とが関連付けられた連携操作テーブルを記憶する記憶手段と、
前記携帯端末装置に表示された携帯端末装置用の操作画面または前記表示手段に表示された携帯端末装置用の操作画面に対して、ユーザーの操作がなされたときに、前記携帯端末装置から通知される操作の内容に基づいて、該操作の内容と関連付けられた予想操作を、前記連携操作テーブルから特定する予想操作特定手段と、
前記表示手段に表示された自装置用の操作画面を、前記特定された予想操作に対応する画面に切り替える切替手段と、
を備えたことを特徴とする画像処理装置。
【請求項１３】
前記予想操作が複数存在するために対応する画面が複数存在する場合、または予想操作に対応する画面が複数存在する場合は、前記切替手段は、複数の画面のうちの１つの画面に切り替えるとともに、他の画面を呼び出して表示するための呼び出しボタンを前記表示手段に表示する請求項１１または１２に記載の画像処理装置。
【請求項１４】
前記切替手段は、前記携帯端末装置用の操作画面に対して操作を行ったユーザーの情報に基づいて、前記切り替える画面を選択する請求項１１〜１３のいずれかに記載の画像処理装置。
【請求項１５】
自装置に機能が追加されまたは機能の更新が行われたことを認識する認識手段と、
前記認識手段により、機能が追加されまたは機能の更新が行われたことが認識された場合に、前記追加されまたは更新された機能に対応する新たな連携操作テーブルの有無を、予め登録されているサーバーに問い合わせる問い合わせ手段と、
問い合わせの結果、前記新たな連携操作テーブルが存在する場合は、該連携操作テーブルを取得して既存の連携操作テーブルを更新する更新手段と、
をさらに備えている請求項１０に記載の携帯端末装置。
【請求項１６】
前記携帯端末装置に機能が追加されまたは機能の更新が行われたことを認識する認識手段と、
前記認識手段により、機能が追加されまたは機能の更新が行われたことが認識された場合に、前記追加されまたは更新された機能に対応する新たな連携操作テーブルの有無を、予め登録されているサーバーに問い合わせる問い合わせ手段と、
問い合わせの結果、前記新たな連携操作テーブルが存在する場合は、該連携操作テーブルを取得して前記携帯端末装置に既存の連携操作テーブルを更新させる更新手段と、
をさらに備えている請求項１１、１３〜１５のいずれかに記載の画像処理装置。
【請求項１７】
前記携帯端末装置に機能が追加されまたは機能の更新が行われたことを認識する認識手段と、
前記認識手段により、機能が追加されまたは機能の更新が行われたことが認識された場合に、前記追加されまたは更新された機能に対応する新たな連携操作テーブルの有無を、予め登録されているサーバーに問い合わせる問い合わせ手段と、
問い合わせの結果、前記新たな連携操作テーブルが存在する場合は、該連携操作テーブルを取得して既存の連携操作テーブルを更新する更新手段と、
をさらに備えている請求項１２〜１５のいずれかに記載の画像処理装置。
【請求項１８】
携帯端末装置と接続するための接続ステップと、
前記携帯端末装置から該携帯端末装置を操作するための操作画面の表示用データを取得する表示用データ取得ステップと、
自装置を操作するための操作画面と、前記表示用データ取得ステップにおいて取得した前記表示用データに基づく携帯端末装置用の操作画面とを、表示手段に同時に表示する表示制御ステップと、
前記表示手段に表示された携帯端末装置用の操作画面が操作されたときは、操作情報を携帯端末装置に送信する送信ステップと、
前記携帯端末装置に表示された携帯端末装置用の操作画面または前記表示手段に表示された携帯端末装置用の操作画面に対してユーザーの操作がなされることにより、携帯端末装置から、前記操作の内容と関連付けられた予想操作が通知されたとき、自装置の表示手段に表示された自装置用の操作画面を、前記予想操作に対応する画面に切り替える切替ステップと、
を画像処理装置のコンピュータに実行させるための連携プログラム。
【請求項１９】
携帯端末装置と接続する接続ステップと、
前記携帯端末装置から該携帯端末装置を操作するための操作画面の表示用データを取得する表示用データ取得ステップと、
自装置を操作するための操作画面と、前記表示用データ取得ステップにおいて取得した前記表示用データに基づく携帯端末装置用の操作画面とを、前記表示手段に同時に表示する表示制御ステップと、
前記表示手段に表示された携帯端末装置用の操作画面が操作されたときは、操作情報を携帯端末装置に送信する送信ステップと、
前記携帯端末装置用の操作画面に対する操作の内容とユーザーの予想操作とが関連付けられた連携操作テーブルを記憶手段に記憶するステップと、
前記携帯端末装置に表示された携帯端末装置用の操作画面または前記表示手段に表示された携帯端末装置用の操作画面に対して、ユーザーの操作がなされたときに、前記携帯端末装置から通知される操作の内容に基づいて、該操作の内容と関連付けられた予想操作を、前記連携操作テーブルから特定する予想操作特定ステップと、
前記表示手段に表示された自装置用の操作画面を、前記特定された予想操作に対応する画面に切り替える切替ステップと、
を画像処理装置のコンピュータに実行させるための連携プログラム。
【発明の詳細な説明】
【技術分野】
【０００１】
この発明は、多機能デジタル複合機であるＭＦＰ（Multi Function Peripherals）等の画像処理装置と、この画像処理装置に接続可能なスマートフォン、タブレット端末等の携帯端末装置とを備えた画像処理連携システム、同システムで実行される画像処理連携方法、携帯端末装置、画像処理装置及び連携プログラムに関する。
【背景技術】
【０００２】
近年、スマートフォン、タブレット端末等の携帯端末装置は、電子化された文書を記憶可能であり、時と場所を選ばず、文書を閲覧したり編集したりできる。また、携帯端末装置で編集等したファイルを前記ＭＦＰ等の画像処理装置に送信し、画像処理装置で印刷または保存等の処理を実行させることができる。さらに、画像処理装置のスキャナ部で読み取った原稿の画像データ等からなるファイルを携帯端末装置に送信し、携帯端末装置で編集等を行うこともできる。
【０００３】
しかし、携帯端末装置と画像処理装置とを、それぞれ別個に操作する必要があり、操作が煩雑になるといった問題がある。
【０００４】
そこで、最近、画像処理装置の機能を使用するための画像処理装置用の操作画面と、携帯端末装置の機能を使用するための携帯端末装置用の操作画面を、携帯端末装置の表示部や画像処理装置の表示部に同時並列的に表示し、携帯端末装置または画像処理装置のいずれか一方から、携帯端末装置及び画像処理装置の両方を操作できるようにした、画像処理装置と携帯端末装置との連携システムが提案されている。この連携システムでは、自装置の表示部に表示される相手装置の操作画面は、相手装置から送信される表示データに基づいて表示され、画像処理装置及び携帯端末装置の各表示部には、それぞれ同じ画面が表示される。
【０００５】
ところで、このような連携システムにおいて、ユーザーが携帯端末装置と画像処理装置を連携操作して、文書処理などのオフィス作業を実施するに際し、ユーザーが行う操作が以下のような内容であったとする。
（１）携帯端末装置用の操作については、操作画面をトップ画面から切り替えていって、３階層下に降りたところに、実際の操作・入力画面、つまりパラメータ入力欄や選択ボタン等がある。
（２）画像処理装置用の操作については、操作画面をトップ画面から切り替えていって、５階層下に降りたところに、実際の操作・入力画面、つまりパラメータ入力欄や選択ボタン等がある。
【０００６】
この場合、ユーザーは携帯端末装置用の操作画面を、トップ画面から３階層下に切り替えるとともに、画像処理装置用の操作画面を、トップ画面から５階層下に切り替える必要があり、合計８階層の操作画面の切り替えを行うことになる。つまり、ユーザーにとっては、連携操作を行うために、表示部に同時に表示された携帯端末装置用の操作画面と画像処理装置用の操作画面のそれぞれの切替操作を何回も実施しなければならず、操作性が良くないという問題があった。
【０００７】
このような問題を解決するために、第１の方法として、画像処理装置と携帯端末装置のそれぞれに頻繁に使用する操作内容を登録するとともに、操作メニュー画面でショートカットボタンとして呼び出せるように予め設定しておき、連携操作時は、携帯端末装置用及び画像処理装置用の各操作画面において個別に、操作メニュー画面でショートカットボタンを呼び出し、その一覧の中から今回の操作に対応するショートカットボタンを選択して、最終的な画面を表示させる方法が考えられる。
【０００８】
また、第２の方法として、携帯端末装置用の操作画面である程度の操作を実施しておき、その状態で画像処理装置と通信して連携操作を開始させる。画像処理装置は、携帯端末装置の操作状態を検知することにより、それに適した画像処理装置側の操作画面を提供し、表示させる方法が考えられる。
【０００９】
なお、特許文献１には、画像形成装置と携帯端末装置とで構成される画像形成システムであり、画像形成装置は携帯端末装置からの要求に応じて、遠隔操作用の画面情報を送信し、携帯端末装置から受信される指示に従って処理を実行し、携帯端末装置は、受信画面情報に含まれる操作画面の画像を、予め設定されている設定値に従って変換して表示し、入力される指示を画像形成装置に送信する画像形成システムが開示されている。
【先行技術文献】
【特許文献】
【００１０】
【特許文献１】特開２００８−２１９３５１号公報
【発明の概要】
【発明が解決しようとする課題】
【００１１】
しかし、前述した第１の方法では、多くのユーザーが使用しないような操作内容に関しては、それが既存のショートカットボタンとして登録されている可能性が低いため、それを使用するユーザーは自ら登録しなければならず、その操作が煩わしいという問題がある。さらに、画像処理装置用及び携帯端末装置用のそれぞれの操作画面で、個別にショートカットボタンを呼び出して選択するため、連携操作を行っているにもかかわらず、連携操作の利点が感じられない、という問題もある。
【００１２】
また、前述した第２の方法では、複雑な連携操作を行う場合は問題がある。例えば、携帯端末装置用の操作画面と画像処理装置用の操作画面を交互に操作していくような場合や、一つ一つの連携操作自体は簡単であるがそれらが複数種類あり、それら複数種類の連携操作を一気に実施したい場合等には対応できない、という問題がある。
【００１３】
また、前記特許文献１に記載の技術は、上記のような問題に対して解決策を提供しうるものではない。
【００１４】
この発明は、このような実情に鑑みてなされたものであり、画像処理装置用の操作画面と携帯端末装置用の操作画面により連携操作を行う場合に、携帯端末装置用の操作画面に対して行った操作に対応する画像処理装置の操作用画面を、煩雑な画面切替を必要とすることなく簡単に表示することができる画像処理連携システム及び連携方法を提供し、さらには前記連携システムに好適に用いられる携帯端末装置及び画像処理装置と、前記画像処理装置のコンピュータに処理を実行させるための連携プログラムを提供することを課題とする。
【課題を解決するための手段】
【００１５】
上記課題は、以下の手段によって解決される。
（１）相互に接続可能な画像処理装置と携帯端末装置を備えた画像処理連携システムであって、前記画像処理装置は、表示手段と、前記携帯端末装置から該携帯端末装置を操作するための操作画面の表示用データを取得する表示用データ取得手段と、自装置を操作するための操作画面と、前記表示用データ取得手段により取得した前記表示用データに基づく携帯端末装置用の操作画面とを、前記表示手段に同時に表示する表示制御手段と、前記表示手段に表示された自装置用の操作画面が変更されたときに、変更後の画面表示用データを前記携帯端末装置に送信するとともに、前記表示手段に表示された携帯端末装置用の操作画面が操作されたときは、操作情報を携帯端末装置に送信する送信手段と、を備え、前記携帯端末装置は、表示手段と、前記画像処理装置から該画像処理装置を操作するための操作画面の表示用データを取得する表示データ取得手段と、自装置を操作するための操作画面と、前記表示用データ取得手段により取得した前記表示用データに基づく画像処理装置用の操作画面とを、前記表示手段に同時に表示する表示制御手段と、前記表示手段に表示された自装置用の操作画面が変更されたときに、変更後の画面表示用データを前記画像処理装置に送信するとともに、前記表示手段に表示された画像処理装置用の操作画面が操作されたときは、操作情報を画像処理装置に送信する送信手段と、自装置用の操作画面に対する操作の内容とユーザーの予想操作とが関連付けられた連携操作テーブルを記憶する記憶手段と、前記表示手段に表示された自装置用の操作画面または画像処理装置の表示手段に表示された携帯端末装置用の操作画面に対して、ユーザーの操作がなされたときに、該操作の内容に関連付けられた前記予想操作を、前記連携操作テーブルから特定する予想操作特定手段と、前記予想操作特定手段により特定された前記予想操作を前記画像処理装置に通知する通知手段と、を備え、前記画像処理装置はさらに、前記携帯端末装置から前記予想操作が通知されたとき、自装置の表示手段に表示された自装置用の操作画面を、前記予想操作に対応する画面に切り替える切替手段を備えたことを特徴とする画像処理連携システム。
（２）相互に接続可能な画像処理装置と携帯端末装置を備えた画像処理連携システムであって、前記画像処理装置は、表示手段と、前記携帯端末装置から該携帯端末装置を操作するための操作画面の表示用データを取得する表示用データ取得手段と、自装置を操作するための操作画面と、前記表示用データ取得手段により取得した前記表示用データに基づく携帯端末装置用の操作画面とを、前記表示手段に同時に表示する表示制御手段と、前記表示手段に表示された自装置用の操作画面が変更されたときに、変更後の画面表示用データを前記携帯端末装置に送信するとともに、前記表示手段に表示された携帯端末装置用の操作画面が操作されたときは、操作情報を携帯端末装置に送信する送信手段と、前記携帯端末装置用の操作画面に対する操作の内容とユーザーの予想操作とが関連付けられた連携操作テーブルを記憶する記憶手段と、を備え、前記携帯端末装置は、表示手段と、前記画像処理装置から該画像処理装置を操作するための操作画面の表示用データを取得する表示データ取得手段と、自装置を操作するための操作画面と、前記表示用データ取得手段により取得した前記表示用データに基づく画像処理装置用の操作画面とを、前記表示手段に同時に表示する表示制御手段と、前記表示手段に表示された自装置用の操作画面が変更されたときに、変更後の画面表示用データを前記画像処理装置に送信するとともに、前記表示手段に表示された画像処理装置用の操作画面が操作されたときは、操作情報を画像処理装置に送信する送信手段と、前記表示手段に表示された自装置用の操作画面または画像処理装置の表示手段に表示された携帯端末装置用の操作画面に対してユーザーの操作がなされたときに、該操作の内容を前記画像処理装置に通知する通知手段と、を備え、前記画像処理装置はさらに、前記携帯端末装置から操作の内容が通知されたときに、該操作の内容と関連付けられた予想操作を、前記連携操作テーブルから特定する予想操作特定手段と、前記表示手段に表示された自装置用の操作画面を、前記特定された予想操作に対応する画面に切り替える切替手段を備えたことを特徴とする画像処理連携システム。
（３）前記予想操作が複数存在するために対応する画面が複数存在する場合、または１つの予想操作に対応する画面が複数存在する場合は、前記画像処理装置の切替手段は、複数の画面のうちの１つの画面に切り替えるとともに、他の画面を呼び出して表示するための呼び出しボタンを前記表示手段に表示する前項１または２に記載の画像処理連携システム。
（４）前記画像処理装置の切替手段は、前記携帯端末装置用の操作画面に対して操作を行ったユーザーの情報に基づいて、前記切り替える画面を選択する前項１〜３のいずれかに記載の画像処理連携システム。
（５）前記携帯端末装置は、該携帯端末装置に機能が追加されまたは機能の更新が行われたことを認識する認識手段と、前記認識手段により、機能が追加されまたは機能の更新が行われたことが認識された場合に、前記追加されまたは更新された機能に対応する新たな連携操作テーブルの有無を、前記画像処理装置または予め登録されているサーバーに問い合わせる問い合わせ手段と、問い合わせの結果、前記新たな連携操作テーブルが存在する場合は、該連携操作テーブルを取得して既存の連携操作テーブルを更新する更新手段と、をさらに備えている前項１、３または４に記載の画像処理連携システム。
（６）前記画像処理装置は、前記携帯端末装置に機能が追加されまたは機能の更新が行われたことを認識する認識手段と、前記認識手段により、携帯端末装置に機能が追加されまたは機能の更新が行われたことが認識された場合に、前記追加されまたは更新された機能に対応する新たな連携操作テーブルの有無を、予め登録されているサーバーに問い合わせる問い合わせ手段と、問い合わせの結果、前記新たな連携操作テーブルが存在する場合は、該連携操作テーブルを取得して前記携帯端末装置に既存の連携操作テーブルを更新させる更新手段と、をさらに備えている前項１、３または４に記載の画像処理連携システム。
（７）前記画像処理装置は、前記携帯端末装置に機能が追加されまたは機能の更新が行われたことを認識する認識手段と、前記認識手段により、機能が追加されまたは機能の更新が行われたことが認識された場合に、前記追加されまたは更新された機能に対応する新たな連携操作テーブルの有無を、予め登録されているサーバーに問い合わせる問い合わせ手段と、問い合わせの結果、前記新たな連携操作テーブルが存在する場合は、該連携操作テーブルを取得して既存の連携操作テーブルを更新する更新手段と、をさらに備えている前項２、３または４に記載の画像処理連携システム。
（８）相互に接続可能な画像処理装置と携帯端末装置を備えた画像処理連携システムで実施される画像処理連携方法であって、前記画像処理装置は、前記携帯端末装置から該携帯端末装置を操作するための操作画面の表示用データを取得する表示用データ取得ステップと、自装置を操作するための操作画面と、前記表示用データ取得ステップにおいて取得した前記表示用データに基づく携帯端末装置用の操作画面とを、表示手段に同時に表示する表示制御ステップと、前記表示手段に表示された自装置用の操作画面が変更されたときに、変更後の画面表示用データを前記携帯端末装置に送信するとともに、前記表示手段に表示された携帯端末装置用の操作画面が操作されたときは、操作情報を携帯端末装置に送信する送信ステップと、を実施し、前記携帯端末装置は、前記画像処理装置から該画像処理装置を操作するための操作画面の表示用データを取得する表示データ取得ステップと、自装置を操作するための操作画面と、前記表示用データ取得ステップにおいて取得した前記表示用データに基づく画像処理装置用の操作画面とを、表示手段に同時に表示する表示制御ステップと、前記表示手段に表示された自装置用の操作画面が変更されたときに、変更後の画面表示用データを前記画像処理装置に送信するとともに、前記表示手段に表示された画像処理装置用の操作画面が操作されたときは、操作情報を画像処理装置に送信する送信ステップと、前記表示手段に表示される自装置用の操作画面に対する操作の内容とユーザーの予想操作とが関連付けられた連携操作テーブルを記憶手段に記憶する記憶ステップと、前記表示手段に表示される自装置用の操作画面または画像処理装置の表示手段に表示された携帯端末装置用の操作画面に対して、ユーザーの操作がなされたときに、該操作の内容と関連付けられた前記予想操作を、前記連携操作テーブルから特定する予想操作特定ステップと、前記予想操作特定ステップにおいて特定された前記予想操作を前記画像処理装置に通知する通知ステップと、を実行し、前記画像処理装置はさらに、前記携帯端末装置から前記予想操作が通知されたとき、自装置の表示手段に表示された自装置用の操作画面を、前記予想操作に対応する画面に切り替える切替ステップを実施することを特徴とする画像処理連携方法。
（９）相互に接続可能な画像処理装置と携帯端末装置を備えた画像処理連携システムで実施される画像処理連携方法であって、前記画像処理装置は、前記携帯端末装置から該携帯端末装置を操作するための操作画面の表示用データを取得する表示用データ取得ステップと、自装置を操作するための操作画面と、前記表示用データ取得ステップにおいて取得した前記表示用データに基づく携帯端末装置用の操作画面とを、表示手段に同時に表示する表示制御ステップと、前記表示手段に表示された自装置用の操作画面が変更されたときに、変更後の画面表示用データを前記携帯端末装置に送信するとともに、前記表示手段に表示された携帯端末装置用の操作画面が操作されたときは、操作情報を携帯端末装置に送信する送信ステップと、前記携帯端末装置用の操作画面に対する操作の内容とユーザーの予想操作とが関連付けられた連携操作テーブルを記憶手段に記憶する記憶ステップと、を実施し、前記携帯端末装置は、前記画像処理装置から該画像処理装置を操作するための操作画面の表示用データを取得する表示データ取得ステップと、自装置を操作するための操作画面と、前記表示用データ取得ステップにおいて取得した前記表示用データに基づく画像処理装置用の操作画面とを、表示手段に同時に表示する表示制御ステップと、前記表示手段に表示された自装置用の操作画面が変更されたときに、変更後の画面表示用データを前記画像処理装置に送信するとともに、前記表示手段に表示された画像処理装置用の操作画面が操作されたときは、操作情報を画像処理装置に送信する送信ステップと、前記表示手段に表示された自装置用の操作画面または画像処理装置の表示手段に表示された携帯端末装置用の操作画面に対してユーザーの操作がなされたときに、該操作の内容を前記画像処理装置に通知する通知ステップと、を実施し、前記画像処理装置はさらに、前記携帯端末装置から操作の内容が通知されたときに、該操作の内容と関連付けられた予想操作を、前記連携操作テーブルから特定する予想操作特定ステップと、前記表示手段に表示された自装置用の操作画面を、前記特定された予想操作に対応する画面に切り替える切替ステップを実施することを特徴とする画像処理連携方法。
（１０）画像処理装置と接続するための接続手段と、表示手段と、前記画像処理装置から該画像処理装置を操作するための操作画面の表示用データを取得する表示データ取得手段と、自装置を操作するための操作画面と、前記表示用データ取得手段により取得した前記表示用データに基づく画像処理装置用の操作画面とを、前記表示手段に同時に表示する表示制御手段と、前記表示手段に表示された自装置用の操作画面が変更されたときに、変更後の画面表示用データを前記画像処理装置に送信するとともに、前記表示手段に表示された画像処理装置用の操作画面が操作されたときは、操作情報を画像処理装置に送信する送信手段と、自装置用の操作画面に対する操作の内容とユーザーの予想操作とが関連付けられた連携操作テーブルを記憶する記憶手段と、前記表示手段に表示された自装置用の操作画面または画像処理装置の表示手段に表示された携帯端末装置用の操作画面に対して、ユーザーの操作がなされたときに、該操作の内容と関連付けられた前記予想操作を、前記連携操作テーブルから特定する予想操作特定手段と、前記予想操作特定手段により特定された前記予想操作を前記画像処理装置に通知する通知手段と、を備えたことを特徴とする携帯端末装置。
（１１）携帯端末装置と接続するための接続手段と、表示手段と、前記携帯端末装置から該携帯端末装置を操作するための操作画面の表示用データを取得する表示用データ取得手段と、自装置を操作するための操作画面と、前記表示用データ取得手段により取得した前記表示用データに基づく携帯端末装置用の操作画面とを、前記表示手段に同時に表示する表示制御手段と、前記表示手段に表示された携帯端末装置用の操作画面が操作されたときは、操作情報を携帯端末装置に送信する送信手段と、前記携帯端末装置に表示された携帯端末装置用の操作画面または前記表示手段に表示された携帯端末装置用の操作画面に対してユーザーの操作がなされることにより、携帯端末装置から、前記操作の内容と関連付けられた予想操作が通知されたとき、自装置の表示手段に表示された自装置用の操作画面を、前記予想操作に対応する画面に切り替える切替手段と、を備えたことを特徴とする画像処理装置。
（１２）携帯端末装置と接続するための接続手段と、表示手段と、前記携帯端末装置から該携帯端末装置を操作するための操作画面の表示用データを取得する表示用データ取得手段と、自装置を操作するための操作画面と、前記表示用データ取得手段により取得した前記表示用データに基づく携帯端末装置用の操作画面とを、前記表示手段に同時に表示する表示制御手段と、前記表示手段に表示された携帯端末装置用の操作画面が操作されたときは、操作情報を携帯端末装置に送信する送信手段と、前記携帯端末装置用の操作画面に対する操作の内容とユーザーの予想操作とが関連付けられた連携操作テーブルを記憶する記憶手段と、前記携帯端末装置に表示された携帯端末装置用の操作画面または前記表示手段に表示された携帯端末装置用の操作画面に対して、ユーザーの操作がなされたときに、前記携帯端末装置から通知される操作の内容に基づいて、該操作の内容と関連付けられた予想操作を、前記連携操作テーブルから特定する予想操作特定手段と、前記表示手段に表示された自装置用の操作画面を、前記特定された予想操作に対応する画面に切り替える切替手段と、を備えたことを特徴とする画像処理装置。
（１３）前記予想操作が複数存在するために対応する画面が複数存在する場合、または予想操作に対応する画面が複数存在する場合は、前記切替手段は、複数の画面のうちの１つの画面に切り替えるとともに、他の画面を呼び出して表示するための呼び出しボタンを前記表示手段に表示する前項１１または１２に記載の画像処理装置。
（１４）前記切替手段は、前記携帯端末装置用の操作画面に対して操作を行ったユーザーの情報に基づいて、前記切り替える画面を選択する前項１１〜１３のいずれかに記載の画像処理装置。
（１５）自装置に機能が追加されまたは機能の更新が行われたことを認識する認識手段と、前記認識手段により、機能が追加されまたは機能の更新が行われたことが認識された場合に、前記追加されまたは更新された機能に対応する新たな連携操作テーブルの有無を、予め登録されているサーバーに問い合わせる問い合わせ手段と、問い合わせの結果、前記新たな連携操作テーブルが存在する場合は、該連携操作テーブルを取得して既存の連携操作テーブルを更新する更新手段と、をさらに備えている請求項１０に記載の携帯端末装置。
（１６）前記携帯端末装置に機能が追加されまたは機能の更新が行われたことを認識する認識手段と、前記認識手段により、機能が追加されまたは機能の更新が行われたことが認識された場合に、前記追加されまたは更新された機能に対応する新たな連携操作テーブルの有無を、予め登録されているサーバーに問い合わせる問い合わせ手段と、問い合わせの結果、前記新たな連携操作テーブルが存在する場合は、該連携操作テーブルを取得して前記携帯端末装置に既存の連携操作テーブルを更新させる更新手段と、をさらに備えている前項１１、１３〜１５のいずれかに記載の画像処理装置。
（１７）前記携帯端末装置に機能が追加されまたは機能の更新が行われたことを認識する認識手段と、前記認識手段により、機能が追加されまたは機能の更新が行われたことが認識された場合に、前記追加されまたは更新された機能に対応する新たな連携操作テーブルの有無を、予め登録されているサーバーに問い合わせる問い合わせ手段と、問い合わせの結果、前記新たな連携操作テーブルが存在する場合は、該連携操作テーブルを取得して既存の連携操作テーブルを更新する更新手段と、をさらに備えている前項１２〜１５のいずれかに記載の画像処理装置。
（１８）携帯端末装置と接続するための接続ステップと、前記携帯端末装置から該携帯端末装置を操作するための操作画面の表示用データを取得する表示用データ取得ステップと、自装置を操作するための操作画面と、前記表示用データ取得ステップにおいて取得した前記表示用データに基づく携帯端末装置用の操作画面とを、表示手段に同時に表示する表示制御ステップと、前記表示手段に表示された携帯端末装置用の操作画面が操作されたときは、操作情報を携帯端末装置に送信する送信ステップと、前記携帯端末装置に表示された携帯端末装置用の操作画面または前記表示手段に表示された携帯端末装置用の操作画面に対してユーザーの操作がなされることにより、携帯端末装置から、前記操作の内容と関連付けられた予想操作が通知されたとき、自装置の表示手段に表示された自装置用の操作画面を、前記予想操作に対応する画面に切り替える切替ステップと、を画像処理装置のコンピュータに実行させるための連携プログラム。
（１９）携帯端末装置と接続する接続ステップと、前記携帯端末装置から該携帯端末装置を操作するための操作画面の表示用データを取得する表示用データ取得ステップと、自装置を操作するための操作画面と、前記表示用データ取得ステップにおいて取得した前記表示用データに基づく携帯端末装置用の操作画面とを、前記表示手段に同時に表示する表示制御ステップと、前記表示手段に表示された携帯端末装置用の操作画面が操作されたときは、操作情報を携帯端末装置に送信する送信ステップと、前記携帯端末装置用の操作画面に対する操作の内容とユーザーの予想操作とが関連付けられた連携操作テーブルを記憶手段に記憶するステップと、前記携帯端末装置に表示された携帯端末装置用の操作画面または前記表示手段に表示された携帯端末装置用の操作画面に対して、ユーザーの操作がなされたときに、前記携帯端末装置から通知される操作の内容に基づいて、該操作の内容と関連付けられた予想操作を、前記連携操作テーブルから特定する予想操作特定ステップと、前記表示手段に表示された自装置用の操作画面を、前記特定された予想操作に対応する画面に切り替える切替ステップと、を画像処理装置のコンピュータに実行させるための連携プログラム。
【発明の効果】
【００１６】
前項（１）に記載の発明によれば、携帯端末装置の記憶手段に、自装置用の操作画面に対する操作の内容とユーザーの予想操作とが関連付けられた連携操作テーブルが記憶されるとともに、携帯端末装置または画像処理装置の表示手段に表示された携帯端末装置用の操作画面に対して、ユーザーの操作がなされたときに、該操作の内容に関連付けられた予想操作が、前記連携操作テーブルから特定され、この特定された予想操作が画像処理装置に通知される。画像処理装置は、携帯端末装置から前記予想操作が通知されたとき、自装置の表示手段に表示された自装置用の操作画面を、前記予想操作に対応する画面に切り替える。この切り替えられた操作画面の表示用データは携帯端末装置に送信され、携帯端末装置の表示手段にも画像処理装置用の操作画面として表示される。
【００１７】
つまり、携帯端末装置用の操作画面に対してなされる操作の内容と予想操作とを、予め関連付けて記憶させておくことで、携帯端末装置用の操作画面が操作されるたびに、画像処理装置及び携帯端末装置の表示手段にそれぞれ表示される画像処理装置用の操作画面が、携帯端末装置用の操作画面に対してなされた操作に対応する操作画面に切り替えられるから、ユーザーによる煩雑な画面切替を必要とすることなく、画像処理装置用の所望の操作画面を簡単に表示させることができる。
【００１８】
前項（２）に記載の発明によれば、画像処理装置の記憶手段に、携帯端末装置用の操作画面に対する操作の内容とユーザーの予想操作とが関連付けられた連携操作テーブルが記憶されるとともに、携帯端末装置または画像処理装置の表示手段に表示された携帯端末装置用の操作画面に対して、ユーザーの操作がなされたときに、該操作の内容が携帯端末装置から画像処理装置に通知される。画像処理装置は、通知された操作の内容に関連付けられた予想操作を、前記連携操作テーブルから特定し、自装置の表示手段に表示された自装置用の操作画面を、前記予想操作に対応する画面に切り替える。この切り替えられた操作画面の表示用データは携帯端末装置に送信され、携帯端末装置の表示手段にも画像処理装置用の操作画面として表示される。
【００１９】
つまり、携帯端末装置用の操作画面に対してなされる操作の内容と予想操作とを、予め関連付けて記憶させておくことで、携帯端末装置用の操作画面が操作されるたびに、画像処理装置及び携帯端末装置の表示手段にそれぞれ表示される画像処理装置用の操作画面が、携帯端末装置用の操作画面に対してなされた操作に対応する操作画面に切り替えられるから、ユーザーによる煩雑な画面切替を必要とすることなく、画像処理装置用の所望の操作画面を簡単に表示させることができる。
【００２０】
前項（３）に記載の発明によれば、予想操作が複数存在するために対応する画面が複数存在する場合、または１つの予想操作に対応する画面が複数存在する場合は、画像処理装置用の操作画面は、複数の対応する画面のうちの１つに切り替えられるとともに、他の対応する画面を呼び出して表示するための呼び出しボタンが表示されるから、このボタンを呼び出すことで、ユーザーは他の操作画面をすぐに確認することができる。
【００２１】
前項（４）に記載の発明によれば、携帯端末装置用の操作画面に対して操作を行ったユーザーの情報に基づいて、切り替える画面が選択されるから、ユーザーに応じた設定画面等を表示することができる。
【００２２】
前項（５）に記載の発明によれば、携帯端末装置に機能が追加されまたは機能の更新が行われた場合は、前記追加されまたは更新された機能に対応する新たな連携操作テーブルの有無が、画像処理装置または予め登録されているサーバーに問い合わせされ、前記新たな連携操作テーブルが存在する場合は、該連携操作テーブルが取得され、既存の連携操作テーブルが自動的に更新されるから、ユーザーが機能の追加または更新の都度、連携操作テーブルを更新する手間は不要である。
【００２３】
前項（６）に記載の発明によれば、携帯端末装置に機能が追加されまたは機能の更新が行われた場合は、画像処理装置によって、前記追加されまたは更新された機能に対応する新たな連携操作テーブルが取得され、携帯端末装置の既存の連携操作テーブルが自動的に更新されるから、ユーザーが機能の追加または更新の都度、連携操作テーブルを更新する手間は不要である。
【００２４】
前項（７）に記載の発明によれば、携帯端末装置に機能が追加されまたは機能の更新が行われた場合は、画像処理装置により前記追加されまたは更新された機能に対応する新たな連携操作テーブルが取得され、既存の連携操作テーブルが自動的に更新されるから、ユーザーが機能の追加または更新の都度、連携操作テーブルを更新する手間は不要である。
【００２５】
前項（８）に記載の発明によれば、ユーザーによる煩雑な画面切替を必要とすることなく、画像処理装置用の所望の操作画面を簡単に表示させることができる。
【００２６】
前項（９）に記載の発明によれば、ユーザーによる煩雑な画面切替を必要とすることなく、画像処理装置用の所望の操作画面を簡単に表示させることができる。
【００２７】
前項（１０）に記載の発明によれば、ユーザーによる煩雑な画面切替を必要とすることなく、画像処理装置用の所望の操作画面を簡単に表示させることができる携帯端末装置となし得る。
【００２８】
前項（１１）に記載の発明によれば、ユーザーによる煩雑な画面切替を必要とすることなく、画像処理装置用の所望の操作画面を簡単に表示させることができる画像処理装置となし得る。
【００２９】
前項（１２）に記載の発明によれば、ユーザーによる煩雑な画面切替を必要とすることなく、画像処理装置用の所望の操作画面を簡単に表示させることができる画像処理装置となし得る。
【００３０】
前項（１３）に記載の発明によれば、予想操作が複数存在する場合、画像処理装置用の操作画面は、そのうちの１つの予想操作に対応する画面に切り替えられるとともに、他の予想操作に対応する画面を呼び出して表示するための呼び出しボタンが表示されるから、このボタンを呼び出すことで、ユーザーは他の操作用画面をすぐに確認することができる。
【００３１】
前項（１４）に記載の発明によれば、携帯端末装置用の操作画面に対して操作を行ったユーザーの情報に基づいて、切り替える画面が選択されるから、ユーザーに応じた設定画面等を表示することができる。
【００３２】
前項（１５）に記載の発明によれば、携帯端末装置に機能が追加されまたは機能の更新が行われた場合は、前記追加されまたは更新された機能に対応する新たな連携操作テーブルの有無が、画像処理装置または予め登録されているサーバーに問い合わせされ、前記新たな連携操作テーブルが存在する場合は、該連携操作テーブルが取得され、既存の連携操作テーブルが自動的に更新されるから、ユーザーが機能の追加または更新の都度、連携操作テーブルを更新する手間は不要である。
【００３３】
前項（１６）に記載の発明によれば、携帯端末装置に機能が追加されまたは機能の更新が行われた場合は、画像処理装置によって、前記追加されまたは更新された機能に対応する新たな連携操作テーブルが取得され、携帯端末装置の既存の連携操作テーブルが自動的に更新されるから、ユーザーが機能の追加または更新の都度、連携操作テーブルを更新する手間は不要である。
【００３４】
前項（１７）に記載の発明によれば、携帯端末装置に機能が追加されまたは機能の更新が行われた場合は、画像処理装置により前記追加されまたは更新された機能に対応する新たな連携操作テーブルが取得され、既存の連携操作テーブルが自動的に更新されるから、ユーザーが機能の追加または更新の都度、連携操作テーブルを更新する手間は不要である。
【００３５】
前項（１８）または（１９）に記載の発明によれば、ユーザーによる煩雑な画面切替を必要とすることなく、画像処理装置用の所望の操作画面を簡単に表示させることができる処理を、画像処理装置のコンピュータに実行させることができる。
【図面の簡単な説明】
【００３６】
【図１】この発明の一実施形態に係る画像処理連携システムの構成図である。
【図２】画像処理装置のハードウェア構成を示すブロック図である。
【図３】携帯端末装置のハードウェア構成を示すブロック図である。
【図４】画像処理装置の主制御部にて実施される携帯端末装置との連携機能の制御に関する機能ブロック図である。
【図５】画像処理装置及び携帯端末装置の各ソフトウェアの関係を示す図である。
【図６】画像処理装置の表示部に、画像処理装置用操作画面と携帯端末用操作画面の両方が表示されている状態を示す図である。
【図７】図６において、画像処理装置用操作画面が切り替えられた状態を示す図である。
【図８】携帯端末用の操作画面を連携操作したときの操作の内容とユーザーの予想操作とが関連付けられた連携操作テーブルの内容を示す図である。
【図９】連携操作テーブルが携帯端末装置に存在する場合に、携帯端末装置で実施される処理を示すフローチャートである。
【図１０】連携操作テーブルが携帯端末装置に存在する場合に、画像処理装置で実施される処理を示すフローチャートである。
【図１１】連携操作テーブルが画像処理装置に存在する場合に、携帯端末装置で実施される処理を示すフローチャートである。
【図１２】連携操作テーブルが画像処理装置に存在する場合に、画像処理装置で実施される処理を示すフローチャートである。
【図１３】連携操作テーブルの更新を行う場合の携帯端末装置の動作を示すフローチャートである。
【図１４】連携操作テーブルの更新処理の要否をユーザに確認するための画面を示す図である。
【図１５】連携操作テーブルの更新を行う場合の画像処理装置の動作を示すフローチャートである。
【発明を実施するための形態】
【００３７】
以下、この発明の実施形態を図面に基づいて説明する。
【００３８】
図１は、この発明の一実施形態に係る画像処理連携システムの構成図である。
【００３９】
この画像処理連携システムは、画像処理装置１と、スマートフォンやタブレット端末等からなる携帯端末装置２と、パーソナルコンピュータからなるユーザー端末３等を備え、これらの画像処理装置１、携帯端末装置２及びユーザー端末３は、ＬＡＮ等のネットワークを介して相互に接続可能となされている。
【００４０】
この実施形態では、画像処理装置１としてコピー機能、プリント機能、スキャン機能、ファクシミリ機能等を備えた前述のＭＦＰが用いられている。以下、画像処理装置をＭＦＰとも記す。また、携帯端末装置を携帯端末とも記す。
【００４１】
図２は、ＭＦＰ１の全体のハードウェア構成を示すブロック図である。
【００４２】
ＭＦＰ１は、主制御部１０１、スキャナ部１０２、プリンタ部１０３、記憶部１０４、操作パネル部１０５、スピーカー部１０７、マイク部１０８、表示デバイス接続部１０９、ネットワークコントローラ部１１０、ＰＤＬ（page description language）解析部１１１、電子メール送受信部１１２等を備えている。
【００４３】
主制御部１０１は、図示しないＣＰＵと、ＣＰＵの動作プログラム等を記憶するメモリであるＲＯＭと、ＣＰＵが動作プログラムやアプリケーションソフトに従って動作するときの作業領域を提供するメモリであるＲＡＭ等を備え、動作プログラムやアプリケーションソフトに従ってＣＰＵが動作することにより、ＭＦＰ１の全体を統括的に制御するものである。例えば、ＭＦＰ１の各種機能である読み取り、プリント、データ送信、データ受信等の各処理全体のシーケンス制御を行うほか、この実施形態では携帯端末２との機能連携時に連携動作を実行する。
【００４４】
具体的には、携帯端末２を操作するための操作画面の表示データを携帯端末２から取得して、携帯端末用の操作画面を自装置用の操作画面と同時に操作パネル部１０５に表示したり、前記表示された携帯端末用の操作画面が操作されたときは、操作情報を携帯端末２に送信する。また、操作パネル部１０５に表示された自装置用の操作画面が変更されたときは、変更後の画面表示用データを携帯端末２に送信したり、操作パネル部１０５や携帯端末２に表示されたＭＦＰ用の操作画面がユーザーにより操作されたときは、操作に応じた処理を実行する。
【００４５】
さらにこの実施形態では、操作パネル部１０５に表示された自装置用の操作画面または携帯端末２に表示されたＭＦＰ用の操作画面に対して、ユーザーの操作がなされ、該操作の内容に関連付けられた予想操作が携帯端末２から通知されたときは、操作パネル部１０５に表示された自装置用の操作画面を、前記予想操作に対応する画面に切り替える等の制御を実行する。この点については後述する。
【００４６】
スキャナ部１０２は、図示しないプラテンガラス上にセットされた原稿や、同じく図示しない自動原稿搬送装置にセットされた原稿の画像を読み取って、電子データである画像データを、主制御部１０１に出力するものである。
【００４７】
プリンタ部１０３は、スキャナ部１０２により読み取られた原稿の画像データや、携帯端末２あるいはユーザー端末３から送信されたプリントデータを、用紙に印刷するものである。
【００４８】
記憶部１０４は、主制御部１０１が管理する文書データやＭＦＰ全体の制御に必要な制御データや携帯端末２に関する情報等の各種のデータや、アプリケーションソフトウェア等を記憶するものであり、ハードディスク装置（ＨＤＤ）などが用いられている。この実施形態では、操作パネル１０５等に表示する自装置用の操作画面の表示データが保存されていると共に、携帯端末２から通知される前述した予想操作に対応する操作画面のデータや、さらには、携帯端末用の操作画面に対する操作の内容とユーザーの予想操作とが関連付けられた連携操作テーブルが記憶されている。
【００４９】
なお、上記予想操作とは、ユーザーが携帯端末用操作画面を操作したときに、ユーザーが希望していると予想されるＭＦＰ側の操作であり、携帯端末用操作画面の操作と関連付けて予め設定されている。
【００５０】
操作パネル部１０５は、ＭＦＰ１を操作したりユーザーにメッセージ等を表示するものであり、スタートキー、テンキー等を有するキー部１０５ａと、液晶等のタッチパネルからなり操作画面等を表示する表示部１０５ｂを備えている。操作パネル部１０６により入力された設定は、主制御部１０１等に通知される。
【００５１】
スピーカー部１０７は、ユーザーに音声データを提供するデバイスであり、マイク部１０８は、ユーザーからの音声データを受信して主制御部１０１に渡すデバイスである。また、表示デバイス接続部１０９にはプロジェクタやディスプレイ等の表示デバイスが接続される。
【００５２】
ネットワークコントローラ部１１０は、携帯端末２やユーザー端末３等と接続され、ＬＡＮ等のネットワーク上のパケットデータを送受信し、データをＰＤＬ解析部１１１、電子メール送受信部１１２に受け渡したり、クラウドサーバや共有サーバと通信を行う。
【００５３】
ＰＤＬ解析部１１１は、前記ネットワークコントローラ部１１０で受信したユーザー端末３等からのプリントデータを解析し、画像データに変換して主制御部１０１に渡す。また、電子メール送受信部１１２は、ネットワーク４を介して電子メールで送信された文書を画像データに変換し、主制御部１０１に通知する。
【００５４】
図３は、携帯端末２のハードウェア構成を示すブロック図である。
【００５５】
携帯端末２は、主制御部２０１、記憶部２０２、操作部２０３、表示部２０４、ネットワークコントローラ部２０５等を備えている。
【００５６】
前記主制御部２０１は、図示しないＣＰＵと、ＣＰＵが動作プログラムやアプリケーションソフトウェアに従って動作するときの作業領域を提供するメモリであるＲＡＭ等を備え、動作プログラムやアプリケーションソフトウェアに従ってＣＰＵが動作することにより、携帯端末２の全体を統括的に制御するものである。例えば、所定のアプリケーションソフトウェアに基づいて文書の作成や編集等を行ったり、文書をクラウドサーバに保存したり、ＭＦＰ１のスキャナ部１０２で読み取られた原稿の画像データを受信し、所定の処理を行うほか、この実施形態ではＭＦＰ１との機能連携時に連携動作を実行する。
【００５７】
具体的には、ＭＦＰ１を操作するための操作画面の表示データをＭＦＰ１から取得して、ＭＦＰ用の操作画面を自装置用の操作画面と同時に表示部２０４に表示したり、前記表示されたＭＦＰ用の操作画面が操作されたときは、操作情報をＭＦＰ１に送信する。また、表示部２０４に表示された自装置用の操作画面が変更されたときは、変更後の画面表示用データをＭＦＰ１に送信したり、表示部２０４やＭＦＰ１に表示された携帯端末用の操作画面がユーザーにより操作されたときは、操作に応じた処理を実行する。
【００５８】
さらにこの実施形態では、表示部２０４に表示された自装置用の操作画面またはＭＦＰ１に表示された携帯端末用の操作画面に対して、ユーザーの操作がなされたときは、該操作の内容に関連付けられた予想操作を特定するとともに、特定した予想操作をＭＦＰ１に通知する等の制御を実行する。この点については後述する。
【００５９】
記憶部２０２は、携帯端末２の全体の制御に必要な制御データやＭＦＰ１に関する情報等の各種のデータや、アプリケーションソフトウェアを記憶するものであり、ハードディスク装置などが用いられている。この実施形態では、記憶部２０２には、自装置用の操作画面に対する操作の内容とユーザーの予想操作とが関連付けられた連携操作テーブルが記憶されている。
【００６０】
操作部２０３は、ユーザーによる自装置やＭＦＰ１の操作に用いられるもので、主としてタッチパネルにより構成されている。表示部は液晶等の表示デバイスからなり、自装置を操作するための操作画面が表示されるが、ＭＦＰ１との連携処理時には、自装置用の操作画面と同時にＭＦＰ１用の操作画面も表示される。
【００６１】
ネットワークコントローラ部２０５は、ＭＦＰ１やユーザー端末３等と接続され、ＬＡＮ等のネットワーク上のパケットデータを送受信するものである。
【００６２】
次に、ＭＦＰ１と携帯端末２とが機能連携を行う場合の連携動作について説明する。
【００６３】
図４は、ＭＦＰ１の主制御部１０１にて実施される携帯端末２との連携機能の制御に関する機能ブロック図であり、操作情報・ジョブ作成・文書データ更新制御部１０１ａと、入出力情報制御部１０１ｂと、プリンタ制御インターフェース部１０１ｃと、表示デバイス制御インターフェース部１０１ｄと、ネットワークコントローラインターフェース部１０１ｅと、ブラウザ／リモートアクセス制御部１０１ｆと、ＨＤＤ制御インターフェース部１０１ｇからなる。
【００６４】
文書データは、ＨＤＤ制御インターフェース部１０１ｇを通して接続された記憶部１０４に保存され、また記憶部１０４から読み出すこともでき、ネットワークコントローラインターフェース部１０１ｅを経由して、携帯端末２へ送信することもできる。
【００６５】
携帯端末２とは、ネットワークコントローラインターフェース部１０１ｅを通して、データ通信や操作画面情報（操作画面表示用データ）の通信、操作内容を示す操作情報や操作の結果を示す操作結果情報に関する通信を実施することができる。なお、ＭＦＰ１と携帯端末２との通信はネットワークコントローラインターフェース部１０１ｅを通して行われる場合に限定されることはなく、図示しないＵＳＢインターフェース部を用いて有線通信により接続されても良い。
【００６６】
ユーザーが入力・操作した情報（ＭＦＰ用操作画面が操作されたときの操作情報、操作キー押下動作、ドキュメント選択、ジョブ選択などのデータ・操作情報、及び、携帯端末との連携動作時は携帯端末用操作画面に対する操作情報も含まれる）が、本制御部内の入出力情報制御部１０１ｂを通して、操作情報・ジョブ作成・文書データ更新制御部１０１ａに伝達される。操作情報・ジョブ作成・文書データ更新制御部１０１ａは、ユーザーが携帯端末２との連携システムの利用を選択したと判断すると、連携操作に必要な情報を記憶部１０４から読み出し、連携動作を開始させる。
【００６７】
連携動作開始後、携帯端末用の操作画面表示用データを携帯端末２から受信し、その操作画面とＭＦＰ自身の操作画面を両方並列して同時に、操作パネル部１０５の表示部１０５ｂに表示させる。
【００６８】
入出力情報制御部１０１ｂを介して入力された操作情報から、ユーザーが携帯端末用の操作画面を操作したと判断すると、携帯端末２に保存されている連携操作テーブルを使用する場合は、ユーザーによる操作内容を示す操作情報を携帯端末２に送信し、携帯端末２で記憶部２０２に記憶されている連携操作テーブルを参照して特定された予想操作を、携帯端末２から通知される。一方、ＭＦＰ１に保存されている連携操作テーブルを使用する場合は、ユーザーの操作内容を示す操作情報を携帯端末２に送信し、その操作内容に関する詳細情報を携帯端末２から受信し、それをＭＦＰ１の記憶部１０４で保存している連携操作テーブルと参照し、その操作内容と関連付けられている予想操作をＭＦＰ１自身が特定する。
【００６９】
そして、通知された予想操作、または特定した予想操作に対応するＭＦＰ１の操作画面を、記憶部１０４から選択・抽出し、それを操作パネル１０５の表示部１０５ａに表示させる。
【００７０】
ユーザーが携帯端末２側のアプリケーションソフトウェア（以下、単にプリケーションソフトまたはアプリソフトともいう）を更新して機能を更新した時、または新たなアプリソフトをインストールして新たな機能を追加した場合に、ユーザーが連携操作テーブルを更新していない場合には、携帯端末２側との連携動作開始時に、携帯端末側の連携用ソフトから、連携操作テーブルが未更新であるという通知を受ける。
【００７１】
その通知を受け、操作情報・ジョブ作成・文書データ更新制御部１０１ａは、記憶部１０４から連携操作テーブル更新用サーバの接続先情報を選択し、その情報に基づいてサーバへ接続する。
【００７２】
携帯端末２から送信された、更新済みアプリソフトまたはインストール済み新アプリソフトに対応する連携操作テーブルが、サーバ上に存在するか否かを確認し、存在する場合はそれを取得（ダウンロード）し、ＭＦＰ自身の所有する連携操作テーブルヘインストールして更新する一方、携帯端末２にも送信し、携帯端末２側の連携操作テーブルを更新させる。ただし、携帯端末２側の連携操作テーブルの更新は、携帯端末２の連携ソフトウェア（以下、単に連携ソフトともいう）に従って実行される。
【００７３】
次に、ＭＦＰ１と携帯端末２を連携操作する場合の処理について説明する。
【００７４】
ユーザーが携帯端末２からＭＦＰ１にネットワーク経由にて接続し、携帯端末２からＭＦＰ１を連携して操作しようとしている。携帯端末２とＭＦＰ１の連携操作は、ユーザーが携帯端末２にインストールされている連携ソフトを起動することにより、開始されるものとする。
【００７５】
図５は、ＭＦＰ１及び携帯端末２の各ソフトウェアの関係を示すものであり、左側にＭＦＰ１側のソフトウェアを、右側に携帯端末２のソフトウェアをそれぞれ示す。
【００７６】
携帯端末２の連携ソフト（ＭＦＰ連携用ソフト）は、携帯端末２のＯＳ（Operating System）と汎用のソフトウェアであるアプリソフトの中間に位置しており、ユーザーの操作情報、携帯端末２の通信送受信データ、携帯端末２側の表示画面データを取得することができ、必要に応じてこれらのデータをＭＦＰ１へ送信することができる。つまり、携帯端末２の連携ソフトは、アプリソフトの呼び出し等の携帯端末２側のユーザー操作受付処理、ＭＦＰ１への携帯端末用操作画面データ（画面表示用データ）の送信処理、ＭＦＰ１からのＭＦＰ用操作画面データの受信・表示処理、連携操作関連処理等を実行する。連携操作関連処理としては、後述する連携操作テーブルの呼び出し、更新、予想操作の該当有無判定、連携操作の内容を示す連携操作情報のＭＦＰ１との通信等が挙げられる。
【００７７】
一方、ＭＦＰ１の連携ソフト（携帯端末連携用ソフト）は、ＭＦＰ１側のＯＳやＭＦＰ１用のアプリソフトが全て自社設計／自社カスタマイズであって必要な情報をすべて得られる場合は、ＯＳ−アプリソフト間に位置しなくても良く、ＯＳやアプリソフトと独立でありながら、ＯＳやアプリソフトと通信することにより、必要な情報を入手してもよい。ＭＦＰ１の連携ソフトは、アプリソフトの呼び出し等のＭＦＰ１側のユーザー操作受付処理、携帯端末２からの携帯端末用操作画面データ（画面表示用データ）の受信・表示処理、携帯端末２へのＭＦＰ用操作画面データの送信処理、連携操作関連処理等を実行する。連携操作関連処理としては、連携操作テーブルの呼び出し、更新、予想操作の該当有無判定、連携操作の内容を示す連携操作情報のＭＦＰ１との通信等が挙げられる。
【００７８】
ユーザーが携帯端末２の表示部２０４に表示された操作画面中の連携操作アイコンを選択し、ＭＦＰ連携を指示すると、携帯端末２の連携ソフトは、登録されているＭＦＰ１への通信を行い、ＭＦＰ１の連携ソフトを呼び出す。それにより、連携操作モードが開始され、ＭＦＰ１の表示部１０５ａもしくは携帯端末２の表示部２０４に、ＭＦＰ用操作画面と携帯端末用操作画面の両方が、並列的に同時に表示される。
【００７９】
ＭＦＰ１の表示部１０５ａに、ＭＦＰ用操作画面と携帯端末用操作画面の両方が表示されている状態を、図６に示す。以下、ＭＦＰ１の表示部１０５ａに表示されている携帯端末用操作画面３０１ａとＭＦＰ用操作画面３０２ａをユーザーが操作するものとして説明する。
【００８０】
ユーザーがＭＦＰ１に表示されている携帯端末用操作画面３０１ａを操作すると、操作内容を示す操作情報がＭＦＰ１から携帯端末２に送信される。
【００８１】
携帯端末２には、予め設定されている連携操作テーブルが記憶されており、携帯端末２は、受信した操作情報を基に、その操作に関連付けられた予想操作を連携操作テーブルにて特定し、ＭＦＰ１へ通知する。
【００８２】
連携操作テーブルは、各アプリソフトの各操作毎に設けられており、予想操作が存在しないときは、「予想操作なし」として登録されている。
【００８３】
ＭＦＰ１は、携帯端末２から通知された予想操作に応じて、自身の操作用画面を切り替える。
【００８４】
例えば、図７の画面図の右側部分に示すように、ユーザーが携帯端末用操作画面３０１ｂにおいて、アドレス帳を選択し特定の人物情報を呼び出したとする。そのときの操作内容を示す操作情報が、ＭＦＰ１から携帯端末２へ送信され、携帯端末２の連携ソフトは、連携操作テーブルに基づき、アドレス帳を選択し特定の人物情報を呼び出す操作に関連付けられた予想操作を特定する。この例では、対応する予想操作が、スキャナ部１０２で読み込んだ原稿の画像データを電子メールで送信するscan to E-mailの操作（既存宛先あるいは宛先新規登録）であるものとし、その予想操作がＭＦＰ１へ通知される。また、ユーザーが呼び出した人物情報も併せてＭＦＰ１へ通知する。
【００８５】
ＭＦＰ１は、携帯端末２から通知された予想操作に応じて、自身の操作画面を変更する。このとき、携帯端末１から通知された人物情報を、自身の記憶部１０４に登録されているアドレス帳における人物登録データと照合し、該当者の有無を確認する。アドレス帳はユーザー毎に登録されており、携帯端末用操作画面３０１ｂを操作したユーザーに対して登録されているアドレス帳の人物登録データと照合し、該当者の有無を確認する。
【００８６】
なお、携帯端末用操作画面３０１ｂを操作したユーザーは、携帯端末２の連携ソフトを用いてＭＦＰ１にログインしているユーザーであり、ログイン時に予め認証を受けるため、ユーザー情報はＭＦＰ１において把握されている。
【００８７】
人物情報の照合の結果、該当者がいない場合は、scan to E-mailにおける宛先新規登録画面がユーザーの予想操作に対応する画面であると判定し、図７の画面図の左側部分に示すように、ＭＦＰ用の操作画面３０２ｂをscan to E-mailにおける宛先新規登録画面に切り替える。一方、該当者が居る場合は、その人物の既存宛先が設定されたscan to E-mailの送信設定画面に切り替えられる。つまり、ＭＦＰ１は、携帯端末用の操作画面に対して操作を行ったユーザーの情報に基づいて、宛先新規登録画面か既存宛先への送信設定画面を選択するから、ユーザーに応じた最適な画面を表示することができる。
【００８８】
また、携帯端末２で特定され通知された予想操作が複数同時に存在したり、１つの予想操作に対応するＭＦＰ１側の操作画面候補が複数存在する場合は、１番目の候補画面を表示させ、２番目以降の候補画面については、図７に示すように、各候補画面を呼び出して表示するための呼び出しボタン３０３、３０４を画面下に表示する。
【００８９】
ユーザーがいずれかの呼び出しボタン３０３、３０４を選択した場合には、表示画面を選択された候補画面へ直ちに切り替える。
【００９０】
また、ユーザーが候補画面を選択しない場合にも備え、図７に示すように、元の画面へ戻る為の「前画面へ戻る」ボタン３０５を用意しても良い。
【００９１】
なお、以上の説明では、連携操作テーブルが携帯端末２に存在しているものとしたが、ＭＦＰ１に存在していても、携帯端末用の操作画面に対するユーザー操作に関連付けられた予想操作を、ＭＦＰ１で特定する点を除いて、同様に処理される。この場合、携帯端末２から、携帯端末用の操作画面に対するユーザー操作の内容がＭＦＰ１へと通知され、ＭＦＰ１は、この通知されたユーザ操作の内容に関連付けられた予想操作を連携操作テーブルから特定する。そして、特定された予想操作に対応する画面（複数候補が存在する場合は第１候補の画面）に切り替える。
【００９２】
また、以上の説明では、ＭＦＰ１の表示部１０５ａに表示された携帯端末用の操作画面を操作したが、携帯端末２の表示部２０４に表示された携帯端末用の操作画面をユーザーが操作したときも、同じ動作が行われる。
【００９３】
図８は、携帯端末用の操作画面を連携操作したときの操作の内容とユーザーの予想操作とが関連付けられた連携操作テーブルの内容を、フロー形式にて示す図である。
【００９４】
携帯端末用の操作画面のユーザーによる操作が、ブラウザの起動である場合、連携操作テーブルには、ブラウザ起動に関連付けられたＭＦＰ１側の予想操作として、第１候補：ＭＦＰブラウザ中のお気に入りリストの表示操作、第２候補：ソフトキーボードの表示操作、第３候補：携帯端末でブラウザ表示された画像の印刷のための印刷プレビュー操作、第４候補：ブラウザの起動操作、が登録されている。従って、携帯端末用の操作画面で、ユーザーがブラウザを起動した場合、ＭＦＰ用の操作画面として、ＭＦＰブラウザ中のお気に入りリストの表示画面が表示される。また、第２〜第４の各候補に対応する画面を呼び出して表示するための呼び出しボタンが表示される。
【００９５】
同様に、携帯端末用の操作画面のユーザーによる操作が、リンク先の選択である場合、連携操作テーブルには、リンク先の選択操作に関連付けられたＭＦＰ１側の予想操作として、第１候補：ファイルをボックスに保存するための保存名入力操作、第２候補：ボックス選択操作、第３候補：印刷プレビュー操作、が登録されている。
【００９６】
携帯端末用の操作画面のユーザーによる操作が、表示ページの移動である場合、連携操作テーブルには、表示ページの移動に関連付けられたＭＦＰ１側の予想操作として、第１候補：印刷プレビュー操作、第２候補：ブラウザ起動操作、第３候補：お気に入りリストの表示操作、第４候補：ソフトキーボードの表示操作、が登録されている。
【００９７】
携帯端末用の操作画面のユーザーによる操作が、連携操作テーブルの編集である場合、連携操作テーブルには、連携操作テーブルの編集に関連付けられたＭＦＰ１側の予想操作として、第１候補：連携操作デモ起動操作、第２候補：ソフトキーボードの表示操作、第３候補：印刷プレビュー操作、第４候補：ブラウザの起動操作、が登録されている。
【００９８】
携帯端末用の操作画面のユーザーによる操作が、アドレス帳の選択である場合、連携操作テーブルには、アドレス帳の選択に関連付けられたＭＦＰ１側の予想操作として、第１候補：既存宛先に対するscan to E-mailの操作、第２候補：scan to E-mailの宛先の新規登録操作、第３候補：ボックス呼び出し操作、第４候補：既存宛先に対するscan to ＦＡＸの操作、が登録されている。
【００９９】
携帯端末用の操作画面のユーザーによる操作が、電子メールの選択である場合、連携操作テーブルには、電子メールの選択に関連付けられたＭＦＰ１側の予想操作として、第１候補：ボックス呼び出し操作、が登録されている。
【０１００】
なお、携帯端末用の操作画面のユーザーによる操作が、連携ソフトの起動、音楽再生ソフトの起動、動画再生ソフトの起動、コミュニケーションソフトの起動、ツイッターの起動、電話の選択の各操作である場合、これらの各操作に関連付けられたＭＦＰ１側の予想操作は、いずれも登録されていない。
【０１０１】
以上の連携操作時における操作画面の表示制御処理を、図９〜図１２を用いて説明する。なお、図９〜図１２に示す例では、ＭＦＰ１の表示部１０５ａに表示された携帯端末用操作画面を操作した場合に、ＭＦＰ１の表示部１０５ａに表示されたＭＦＰ用操作画面が切り替わる場合を説明し、携帯端末２の表示部２０４に対する表示制御についての説明は省略してあるが、携帯端末２の表示部２０４にも携帯端末用操作画面とＭＦＰ用操作画面が同時に表示され、この表示された携帯端末用操作画面を操作した場合においても、表示部２０４に表示されたＭＦＰ用操作画面が同様に切り替わることは、いうまでもない。
【０１０２】
ただしこの場合、ＭＦＰ１または携帯端末２のうち、操作を行わない方の表示部においては、ＭＦＰ用操作用画面及び携帯端末用操作画面を実質的に表示しないようにして、消費電力の低減を図る構成としても良い。
【０１０３】
図９は、連携操作テーブルが携帯端末２に存在する場合に、携帯端末２で実施される処理を示すフローチャートであり、図１０は、連携操作テーブルが携帯端末２に存在する場合に、ＭＦＰ１で実施される処理を示すフローチャートである。これらの各処理及び図１１以降のフローチャートに示される各処理は、携帯端末２の主制御部２０１のＣＰＵ、ＭＦＰ１の主制御部１０１のＣＰＵが、それぞれＲＯＭや記憶部１０４、２０２等に格納されている連携ソフトに従って動作することにより実行される。
【０１０４】
図９において、ステップＳ０１で、ユーザーがＭＦＰ１と連携するための連携ソフトを使用してＭＦＰ１へログインするのを待ち（ステップＳ０１でＮＯ）、ログインすると（ステップＳ０１でＹＥＳ）、ステップＳ０２で連携操作モードを開始する。具体的には、ＭＦＰ１と通信を行い、情報を送受信する。
【０１０５】
次いで、ステップＳ０３では、携帯端末用操作画面の表示用データをＭＦＰ１へ送信する。これにより、ＭＦＰ１の表示部１０５ａに携帯端末用操作画面が表示される。
【０１０６】
ステップＳ０４では、ＭＦＰ１との間で、携帯端末用操作画面に対する操作情報の通信処理を実行する。つまり、携帯端末用操作画面に対する操作の有無や操作内容を受信したのち、ステップＳ０５で、ユーザーが携帯端末用操作画面に対して操作を行ったかどうかを判断する。操作が行われていないと判断されると（ステップＳ０５でＮＯ）、ステップＳ１０に進む。操作が行われたと判断されると（ステップＳ０５でＹＥＳ）、ステップＳ０６に進む。
【０１０７】
ステップＳ０６では、携帯端末用操作画面の更新処理を実行する。つまり、更新後の携帯端末用操作画面の表示用データをＭＦＰ１に送信する。ＭＦＰ１は、この表示用データを取得して、携帯端末用操作画面を更新する。
【０１０８】
次いで、ステップＳ０７では、携帯端末用操作画面に対するユーザー操作の内容と連携操作テーブルとの参照処理を実行し、ステップＳ０８で、ユーザー操作の内容と関連付けられた予想操作が存在するかどうかを判断する。存在すれば（ステップＳ０８でＹＥＳ）、その予想操作を特定し、ステップＳ０９で、ＭＦＰ１へ予想操作を通知したのち、ステップＳ１０に進む。予想操作が存在しなければ（ステップＳ０８でＮＯ）、そのままステップＳ１０に進む。
【０１０９】
ステップＳ１０では、ＭＦＰ１からの通知メッセージの表示等を行うために、携帯端末用操作画面の更新依頼がＭＦＰ１からあったかどうかを判断する。更新依頼があれば（ステップＳ１０でＹＥＳ）、ステップＳ１１で、操作画面更新情報の受信処理（表示メッセージ等の受信処理と、更新後の携帯端末用操作画面の表示データの送信処理を実行した後、ステップＳ１２に進む。更新依頼がなければ（ステップＳ１０でＮＯ）、そのままステップＳ１２に進む。
【０１１０】
ステップＳ１２では、ＭＦＰ１から連携操作の終了指示があったかどうかを判断し、なければ（ステップＳ１２でＮＯ）、ステップＳ０４に戻る。終了指示があれば（ステップＳ１２でＹＥＳ）、ステップＳ１３で、連携モードの終了処理、つまりＭＦＰ側の表示部１０５ａにおける携帯端末用操作画面のオフ処理等を実行した後、終了する。
【０１１１】
一方、図１０に示すように、ＭＦＰ１では、ステップＳ２１で、ユーザーが携帯端末２を使用してＭＦＰ１へログインするのを待ち（ステップＳ２１でＮＯ）、ログインすると（ステップＳ２１でＹＥＳ）、ステップＳ２２で連携操作モードを開始する。具体的には、携帯端末２と通信を行い、情報を送受信する。
【０１１２】
次いで、ステップＳ２３では、携帯端末用操作画面の表示用データを携帯端末２から受信したのち、ステップＳ２４で、受信した携帯端末用操作画面と自装置であるＭＦＰ用操作画面を、表示部１０５ａに並列表示する。
【０１１３】
ステップＳ２５では、ユーザーによる携帯端末用操作画面の操作があったかどうかを判断する。操作がないと判断されると（ステップＳ２５でＮＯ）、ステップＳ２９に進む。操作があったと判断されると（ステップＳ２５でＹＥＳ）、ステップＳ２６で、携帯端末用操作画面に対する操作情報の送信処理と、携帯端末２からの携帯端末用操作画面の更新情報の受信処理（更新画面の表示用データの受信処理）を実行し、携帯端末用操作画面を更新する。
【０１１４】
次いで、ステップＳ２７で、予想操作受信処理を実行したのち、ステップ２８で、受信した予想操作に対応する画面が存在するかどうかを判断する。存在すれば（ステップＳ２８でＹＥＳ）、ステップＳ２９で、ＭＦＰ用操作画面の表示更新処理を行い、予想操作に対応する画面に切り替えたのち、ステップＳ３０に進む。この場合、画面候補が複数存在する場合は、前述したように、第１候補の画面を表示し、他の候補の画面については呼び出しボタンを表示する。予想操作に対応する画面が存在しなければ（ステップＳ２８でＮＯ）、そのままステップＳ３０に進む。
【０１１５】
ステップＳ３０では、携帯端末用操作画面の更新が必要かどうかを判断し、必要であれば（ステップＳ３０でＹＥＳ）、ステップＳ３１で、携帯端末２に対する操作画面の表示用データ要求処理、表示用データ受信処理及び表示更新処理を実行したのち、ステップＳ３２に進む。携帯端末用操作画面の更新が必要でなければ（ステップＳ３０でＮＯ）、そのままステップＳ３２に進む。
【０１１６】
ステップＳ３２では、ユーザーにより、ＭＦＰ用操作画面の切り替え依頼があったかどうかを判断する。この判断には、予想操作に対応する画面を他の候補に切り替えるための呼び出しボタンの操作があったかどうかや、「前画面」ボタンの操作があったかどうかの判断も含まれる。
【０１１７】
操作画面の切り替え要求があれば（ステップＳ３２でＹＥＳ）、ステップＳ３３で、その画面への切替処理を行った後、ステップＳ３４に進む。操作画面の切り替え要求がなければ（ステップＳ３２でＮＯ）、そのままステップＳ３４に進む。
【０１１８】
ステップＳ３４では、連携操作の終了指示があったかどうかを判断し、なければ（ステップＳ３４でＮＯ）、ステップＳ２５に戻る。終了指示があれば（ステップＳ３４でＹＥＳ）、ステップＳ３５で、連携モードの終了処理、つまりＭＦＰ１の表示部１０５ａに通常のＭＦＰ操作用画面の表示を行い、連携処理を終了する。
【０１１９】
なお、予想操作に対応する画面に切り替えられたＭＦＰ用操作画面に対して、ユーザーにより所定の指示が入力されたときは、宛先の登録、ジョブの実行等、入力された指示に従ってＭＦＰ１が動作する。
【０１２０】
このように、この実施形態では、携帯端末２の記憶部２０２に、携帯端末用の操作画面に対する操作の内容とユーザーの予想操作とが関連付けられた連携操作テーブルが記憶されるとともに、ＭＦＰ１の表示部１０５ａに表示された携帯端末用の操作画面に対して、ユーザーの操作がなされたときに、該操作の内容に関連付けられた予想操作が、前記連携操作テーブルから特定され、この特定された予想操作がＭＦＰ１に通知される。ＭＦＰ１は、携帯端末２から前記予想操作が通知されたとき、自装置の表示部１０５ａに表示された自装置用の操作画面を、前記予想操作に対応する画面に切り替える。
【０１２１】
つまり、携帯端末用の操作画面に対してなされる操作の内容と予想操作とを、予め関連付けて記憶させておくことで、携帯端末用の操作画面が操作されるたびに、ＭＦＰ１の表示部１０５ａに表示されるＭＦＰ用の操作画面が、携帯端末用の操作画面に対してなされた操作に対応する操作画面に切り替えられるから、ユーザーによる煩雑な画面切替を必要とすることなく、ＭＦＰ用の所望の操作画面を簡単に表示させることができる。
【０１２２】
図１１は、連携操作テーブルがＭＦＰ１に存在する場合に、携帯端末２で実施される処理を示すフローチャートであり、図１２は、連携操作テーブルがＭＦＰ１に存在する場合に、ＭＦＰ１で実施される処理を示すフローチャートである。
【０１２３】
図１１において、ステップＳ４１で、ユーザーがＭＦＰ１と連携するための連携ソフトを使用してＭＦＰ１へログインするのを待ち（ステップＳ４１でＮＯ）、ログインすると（ステップＳ４１でＹＥＳ）、ステップＳ４２で連携操作モードを開始する。具体的には、ＭＦＰ１と通信を行い、情報を送受信する。
【０１２４】
次いで、ステップＳ４３では、携帯端末用操作画面の表示用データをＭＦＰ１へ送信する。これにより、ＭＦＰ１の表示部１０５ａに携帯端末用操作画面が表示される。
【０１２５】
ステップＳ４４では、ＭＦＰ１との間で、携帯端末用操作画面に対する操作情報の通信処理を実行する。つまり、携帯端末用操作画面に対する操作の有無や操作内容を受信したのち、ステップＳ４５で、ユーザーが携帯端末用操作画面に対して操作を行ったかどうかを判断する。操作が行われていないと判断されると（ステップＳ４５でＮＯ）、ステップＳ４７に進む。操作が行われたと判断されると（ステップＳ４５でＹＥＳ）、ステップＳ４６で、携帯端末用操作画面を更新し、更新後の画面表示用データをＭＦＰ１に送信し、さらにユーザー操作の内容をＭＦＰ１に通知したのち、ステップＳ４７に進む。
【０１２６】
ステップＳ４７では、ＭＦＰ１からＭＦＰ用操作画面の更新依頼があったかどうかと、ＭＦＰからの通知メッセージの表示等を行うために、携帯端末用操作画面の更新依頼があったかどうかを判断する。いずれかの更新依頼があれば（ステップＳ４７でＹＥＳ）、ステップＳ４８で更新処理を行う。即ち、ＭＦＰ用操作画面の表示用データの受信と画面の更新を行い、または表示メッセージ等の受信処理と、更新後の携帯端末用操作画面の表示データの送信処理を実行した後、ステップＳ４９に進む。いずれの更新依頼もなければ（ステップＳ４７でＮＯ）、そのままステップＳ４９に進む。
【０１２７】
ステップＳ４９では、ＭＦＰ１から連携操作の終了指示があったかどうかを判断し、なければ（ステップＳ４９でＮＯ）、ステップＳ４４に戻る。終了指示があれば（ステップＳ４９でＹＥＳ）、ステップＳ５０で、連携モードの終了処理、つまりＭＦＰ１における携帯端末用操作画面のオフ処理、携帯端末装置２におけるＭＦＰ用操作画面のオフ処理等を実行した後、終了する。
【０１２８】
一方、図１２に示すように、ＭＦＰ１では、ステップＳ６１で、ユーザーが携帯端末２を使用してＭＦＰ１へログインするのを待ち（ステップＳ６１でＮＯ）、ログインすると（ステップＳ６１でＹＥＳ）、ステップＳ６２で連携操作モードを開始する。具体的には、携帯端末２と通信を行い、情報を送受信する。
【０１２９】
次いで、ステップＳ６３では、携帯端末用操作画面の表示用データを携帯端末２から受信したのち、ステップＳ６４で、受信した携帯端末用操作画面と自装置であるＭＦＰ用操作画面を、表示部１０５ａに並列表示する。
【０１３０】
ステップＳ６５では、ユーザーによる携帯端末用操作画面の操作があったかどうかを判断する。操作がないと判断されると（ステップＳ６５でＮＯ）、ステップＳ６９に進む。操作があったと判断されると（ステップＳ６５でＹＥＳ）、ステップＳ６６で、携帯端末用操作画面に対する操作情報の送信処理と、携帯端末２からの操作画面の更新情報の受信処理（更新画面の表示用データの受信処理）と、操作内容の受信処理を実行し、携帯端末用操作画面を更新する。
【０１３１】
次いで、ステップＳ６７で、受信した操作内容と記憶部１０４に記憶されている連携操作テーブルの参照処理を実行した後、ステップＳ６８で、ユーザー操作の内容と関連付けられた予想操作が存在するかどうかを判断する。存在すれば（ステップＳ６８でＹＥＳ）、その予想操作を特定し、ステップＳ６９で、ＭＦＰ用操作画面の表示更新処理を行い、予想操作に対応する画面に切り替えたのち、ステップＳ７０に進む。予想操作が存在しなければ（ステップＳ６８でＮＯ）、そのままステップＳ７０に進む。
【０１３２】
ステップＳ７０では、携帯端末用操作画面の更新が必要かどうかを判断し、必要であれば（ステップＳ３０でＹＥＳ）、ステップＳ７１で、携帯端末２に対する操作画面の表示用データ要求処理、表示用データ受信処理及び表示更新処理を実行したのち、ステップＳ７２に進む。携帯端末用操作画面の更新が必要でなければ（ステップＳ７０でＮＯ）、そのままステップＳ７２に進む。
【０１３３】
ステップＳ７２では、ユーザーにより、ＭＦＰ用操作画面の切り替え依頼があったかどうかを判断する。この判断には、予想操作に対応する画面を他の候補に切り替えるための呼び出しボタンの操作があったかどうかや、「前画面」ボタンの操作があったかどうかの判断も含まれる。
【０１３４】
操作画面の切り替え要求があれば（ステップＳ７２でＹＥＳ）、ステップＳ７３で、その画面への切替処理を行った後、ステップＳ７４に進む。操作画面の切り替え要求がなければ（ステップＳ７２でＮＯ）、そのままステップＳ７４に進む。
【０１３５】
ステップＳ７４では、連携操作の終了指示があったかどうかを判断し、なければ（ステップＳ７４でＮＯ）、ステップＳ６５に戻る。終了指示があれば（ステップＳ７４でＹＥＳ）、ステップＳ３５で、連携モードの終了処理、つまりＭＦＰ１の表示部１０５ａに通常のＭＦＰ操作用画面の表示を行い、連携処理を終了する。
【０１３６】
このように、この実施形態では、ＭＦＰ１の記憶部１０４に、携帯端末用の操作画面に対する操作の内容とユーザーの予想操作とが関連付けられた連携操作テーブルが記憶されるとともに、ＭＦＰ１の表示部１０５ａに表示された携帯端末用の操作画面に対して、ユーザーの操作がなされたときに、該操作の内容がＭＦＰ１に通知され、ＭＦＰ１は該操作の内容に関連付けられた予想操作を、前記連携操作テーブルから特定する。そして、ＭＦＰ１は、自装置の表示部１０５ａに表示された自装置用の操作画面を、前記特定した予想操作に対応する画面に切り替える。
【０１３７】
つまり、携帯端末用の操作画面に対してなされる操作の内容と予想操作とを、予め関連付けて記憶させておくことで、携帯端末用の操作画面が操作されるたびに、ＭＦＰ１の表示部１０５ａに表示されるＭＦＰ用の操作画面が、携帯端末用の操作画面に対してなされた操作に対応する操作画面に切り替えられるから、ユーザーによる煩雑な画面切替を必要とすることなく、ＭＦＰ用の所望の操作画面を簡単に表示させることができる。
【０１３８】
次に、前記連携操作テーブルの更新処理について説明する。
【０１３９】
ユーザーが携帯端末２に、新しいアプリソフトをインストールすることにより新たな機能が追加された場合、あるいはアプリソフトのバージョンアップ等により機能が更新された場合、携帯端末２の連携ソフトはそれを検知し、新たな機能の追加、機能の更新を認識することができる。そして、以下の何れかの方法で連携テーブルを更新する。
（１）次回にユーザーがＭＦＰ１との連携操作を開始した時に、ＭＦＰ１に新しいアプリソフトまたは更新されたアプリソフト用の連携操作テーブルを要求する。ＭＦＰ１の記憶部１０４には、新連携操作テーブル更新用サーバーについての情報が予め登録されており、ＭＦＰ１は携帯端末２への新たな機能の追加または機能の更新を認識して、前記サーバーへアクセスし、新しい連携操作テーブルを入手する。そして、連携操作テーブルが携帯端末２に存在する場合は、入手した新連携操作テーブルを携帯端末２に送信し、更新させる。一方、連携操作テーブルがＭＦＰ１に存在する場合は、入手した新連携操作テーブルをそのまま更新する。連携操作テーブルがＭＦＰ１にも携帯端末２にも存在する場合は、両方のテーブルを更新する。
（２）新連携操作テーブル更新用サーバーについての情報が、予め携帯端末２の記憶部２０２に登録されている場合は、携帯端末２はそのサーバーヘアクセスし、新しい連携操作テーブルを入手して更新する。
【０１４０】
図１３は、連携操作テーブルの更新を行う場合の携帯端末２の動作を示すフローチャートである。
【０１４１】
携帯端末２はステップＳ８１で、ユーザーによって新しいアプリソフト（インストール済みのアプリソフトが更新された場合も含む）がインストールされるのを待ち（ステップＳ８１でＮＯ）、インストールされると（ステップＳ８１でＹＥＳ）、ステップＳ８２で、連携操作テーブルの更新処理の要否をユーザに確認するための画面を、ＭＦＰ１の表示部１０５ａに表示する。
【０１４２】
この連携操作テーブルの更新処理の要否確認画面の一例を図１４に示す。この画面では、連携操作テーブルの更新処理の必要性を示すメッセージ（なお、図面では連携ソフトの更新の必要性があるものとして案内している）と共に、サーバーにアクセスして更新を実施するか、ＭＦＰ１にアクセスして更新を実施するか、更新を実施しない（サーバーにもＭＦＰにもアクセスしない）かを、ユーザがチェックボックスにより選択できるようになっている。図１４の例では、サーバーへのアクセスによる更新が選択されている。
【０１４３】
図１３に戻って、ステップＳ８３では、更新処理に関する選択が入力されるのを待ち（ステップＳ８３でＮＯ）、選択されると（ステップＳ８３でＹＥＳ）、ステップＳ８４で、サーバーへのアクセスによる更新が選択されたか否かを判断する。サーバーへのアクセスによる更新が選択されていれば（ステップＳ８４でＹＥＳ）、ステップＳ８５に進む。サーバーへのアクセスによる更新が選択されていなければ（ステップＳ８４でＮＯ）、ステップＳ８９に進む。
【０１４４】
ステップＳ８５では、登録済みサーバーへの接続処理、インストールされたアプリソフトの情報（ソフト名、バージョン等）の送信処理を実行した後、ステップＳ８６で、連携操作テーブルの更新情報を受信する。
【０１４５】
次いで、ステップＳ８７で、新しい連携操作テーブルを入手できたか否かを判断し、入手できていれば（ステップＳ８７でＹＥＳ）、ステップＳ８８で、携帯端末２内の連携操作テーブルを更新する。入手できていなければ（ステップＳ８７でＮＯ）、ステップＳ９０に進む。
【０１４６】
一方、ステップＳ８９では、更新実施せずが選択されたかどうかを判断し、選択されていれば（ステップＳ８９でＹＥＳ）、そのまま処理を終了する。更新実施せずが選択されていなければ（ステップＳ８９でＮＯ）、ステップＳ９０で、ＭＦＰ１との連携接続時に、連携操作テーブルの更新処理を実施するためのフラグをオンに設定した後、処理を終了する。
【０１４７】
図１５は、連携操作テーブルの更新を行う場合のＭＦＰ１の動作を示すフローチャートである。
【０１４８】
ステップＳ１０１で、ユーザーが携帯端末２を使用してＭＦＰ１へログインするのを待ち（ステップＳ１０１でＮＯ）、ログインすると（ステップＳ１０１でＹＥＳ）、ステップＳ１０２で連携操作モードを開始する。具体的には、ＭＦＰ１と通信を行い、情報を送受信する。
【０１４９】
ステップＳ１０３では、連携操作テーブルの更新処理を実施するためのフラグがオンになっているかどうかを判断する。オンになっていなければ（ステップＳ１０３でＮＯ）、ステップＳ１０９に進む。オンになっていると（ステップＳ１０３でＹＥＳ）、ステップＳ１０４で、記憶部１０４に登録されているサーバーへの接続処理、インストールされたアプリソフトの情報（ソフト名、バージョン等）の送信処理を実行した後、ステップＳ１０５で、連携操作テーブルの更新情報を受信する。
【０１５０】
次いで、ステップＳ１０６で、新しい連携操作テーブルを入手できたか否かを判断し、入手できていれば（ステップＳ１０６でＹＥＳ）、ステップＳ１０８で、携帯端末２へ新連携操作テーブルを更新依頼と共に送信したのち、ステップＳ１０９に進む。なお、連携操作テーブルがＭＦＰ１に存在する場合は、自身の連携操作テーブルを更新する。新しい連携操作テーブルを入手できていなければ（ステップＳ１０６でＮＯ）、ステップＳ１０７で、ＭＦＰ１との連携接続時に、連携操作テーブルの更新処理を実施するためのフラグを再度オンに設定した後、ステップＳ１０９に進む。
【０１５１】
ステップＳ１０９では、携帯端末用操作画面の表示用データを携帯端末２から受信したのち、ステップＳ１１０で、受信した携帯端末用操作画面と自装置であるＭＦＰ用操作画面を、表示部１０５ａに並列表示する。
【０１５２】
次に、ステップＳ１１１で、ユーザーによる携帯端末用操作画面の操作があったかどうかを判断する。操作がないと判断されると（ステップＳ１１１でＮＯ）、ステップＳ１１５に進む。操作があったと判断されると（ステップＳ１１１でＹＥＳ）、ステップＳ１１２で、携帯端末用操作画面に対する操作情報の送信処理と、携帯端末２からの操作画面の更新情報の受信処理（更新画面の表示用データの受信処理）を実行し、携帯端末用操作画面を更新する。
【０１５３】
次いで、ステップＳ１１３で、予想操作受信処理を実行したのち、ステップ１１４で、受信した予想操作に対応する画面が存在するかどうかを判断する。存在すれば（ステップＳ１１４でＹＥＳ）、ステップＳ１１５で、ＭＦＰ用操作画面の表示更新処理を行い、予想操作に対応する画面に切り替えたのち、ステップＳ１１６に進む。予想操作に対応する画面が存在しなければ（ステップＳ１１４でＮＯ）、そのままステップＳ１１６に進む。
【０１５４】
ステップＳ１１６では、携帯端末用操作画面の更新が必要かどうかを判断し、必要であれば（ステップＳ１１６でＹＥＳ）、ステップＳ１１７で、携帯端末２に対する操作画面の表示用データ要求処理、表示用データ受信処理及び表示更新処理を実行したのち、ステップＳ１１８に進む。携帯端末用操作画面の更新が必要でなければ（ステップＳ１１６でＮＯ）、そのままステップＳ１１８に進む。
【０１５５】
ステップＳ１１８では、ユーザーにより、ＭＦＰ用操作画面の切り替え依頼があったかどうかを判断する。この判断には、予想操作に対応する画面を他の候補に切り替えるための呼び出しボタンの操作があったかどうかや、「前画面」ボタンの操作があったかどうかの判断も含まれる。
【０１５６】
操作画面の切り替え要求があれば（ステップＳ１１８でＹＥＳ）、ステップＳ１１９で、その画面への切替処理を行った後、ステップＳ１２０に進む。操作画面の切り替え要求がなければ（ステップＳ１１８でＮＯ）、そのままステップＳ１２０に進む。
【０１５７】
ステップＳ１２０では、連携操作の終了指示があったかどうかを判断し、なければ（ステップＳ１２０でＮＯ）、ステップＳ１１１に戻る。終了指示があれば（ステップＳ１２０でＹＥＳ）、ステップＳ１２１で、連携モードの終了処理、つまりＭＦＰ１の表示部１０５ａに通常のＭＦＰ操作用画面の表示を行い、連携処理を終了する。
【０１５８】
このように、この実施形態では、携帯端末２に機能が追加されまたは機能の更新が行われた場合は、前記追加されまたは更新された機能に対応する新たな連携操作テーブルの有無が、携帯端末２やＭＦＰ１に予め登録されているサーバーに問い合わせされ、存在する場合は、前記テーブルが自動的に更新されるから、ユーザーが機能の追加または更新の都度、連携操作テーブルを更新する手間は不要である。
【符号の説明】
【０１５９】
１        画像処理装置
２        携帯端末
１０１    主制御部
１０２    スキャナ部
１０３    プリンタ部
１０４    記憶部
１０５    操作パネル部
１０５ａ  表示部
１１０    ネットワークコントローラ部
２０１    主制御部
２０２    記憶部
２０３    操作部
２０４    表示部
２０５    ネットワークコントローラ部
【図１】
2014027638.tif 000003
【図２】
2014027638.tif 000004
【図３】
2014027638.tif 000005
【図４】
2014027638.tif 000006
【図５】
2014027638.tif 000007
【図６】
2014027638.tif 000008
【図７】
2014027638.tif 000009
【図８】
2014027638.tif 000010
【図９】
2014027638.tif 000011
【図１０】
2014027638.tif 000012
【図１１】
2014027638.tif 000013
【図１２】
2014027638.tif 000014
【図１３】
2014027638.tif 000015
【図１４】
2014027638.tif 000016
【図１５】
2014027638.tif 000017